(57)【要約】  複数のセルに対する効率的にセルの状態を制御する端末装置、基地局装置、通信システム、制御方法および集積回路に関する技術を提供する。複数のセルを用いる端末装置において、セルの状態の変更を無効とする設定情報を基地局装置から受信し、受信した設定情報に基づいて、前記複数のセルのうちの一部のセルの状態を変更しないように制御する。
2015008616.tif 000002
【特許請求の範囲】
【請求項１】
複数のセルを用いる端末装置であって、
基地局装置から送信される情報に基づいて一つ以上のセルを追加し、
追加したセルを対象として適用される、満了した場合に活性化しているセルを不活性化するタイマーを、追加した一部のセルに対して適用しない、
端末装置。
【請求項２】
前記タイマーを適用しない前記一部のセルは、前記基地局装置からＲＲＣメッセージを用いて通知される請求項１に記載の端末装置。
【請求項３】
前記タイマーを適用しない前記一部のセルは、デュアルコネクティビティを用いて接続されるセカンダリセルの一つである請求項１に記載の端末装置。
【請求項４】
複数のセルを用いる端末装置と接続する基地局装置であって、
前記端末装置に対して一つ以上のセルの追加を通知し、
前記セルの追加を通知する場合に、通知した一部のセルを除いて前記端末装置において適用される、満了した場合に活性化しているセルを不活性化するタイマーを通知する、
基地局装置。
【請求項５】
前記タイマーを適用しない前記一部のセルをＲＲＣメッセージを用いて前記端末装置に通知する請求項４に記載の基地局装置。
【請求項６】
前記タイマーを適用しない前記一部のセルは、デュアルコネクティビティを用いて接続されるセカンダリセルの一つである請求項４に記載の基地局装置。
【請求項７】
複数のセルを用いる端末装置と、前記端末装置と接続する基地局装置とを含む通信システムであって、
前記基地局装置は、前記端末装置に対して一つ以上のセルの追加を通知する場合に、通知した一部のセルを除いて前記端末装置において適用される、満了した場合に活性化しているセルを不活性化するタイマーを通知し、
前記端末装置は、前記基地局装置から送信される情報に基づいて一つ以上のセルを追加し、満了した場合に活性化しているセルを不活性化する前記タイマーを、追加した一部のセルに対して適用しないように制御する、
通信システム。
【請求項８】
複数のセルを用いる端末装置の制御方法であって、
基地局装置から送信される情報に基づいて一つ以上のセルを追加するステップと、
追加したセルを対象として適用される、満了した場合に活性化しているセルを不活性化するタイマーを、追加した一部のセルに対して適用しないように制御するステップと、を少なくとも備える、
制御方法。
【請求項９】
複数のセルを用いる端末装置と接続する基地局装置の制御方法であって、
前記端末装置に対して一つ以上のセルの追加を通知するステップと、前記セルの追加を通知する場合に、通知した一部のセルを除いて前記端末装置において適用される、満了した場合に活性化しているセルを不活性化するタイマーを通知するステップと、を少なくとも備える、
制御方法。
【請求項１０】
複数のセルを用いる端末装置に搭載される集積回路であって、
前記端末装置において、基地局装置から送信される情報に基づいて一つ以上のセルを追加する機能と、
追加したセルを対象として適用される、満了した場合に活性化しているセルを不活性化するタイマーを、追加した一部のセルに対して適用しないように制御する機能と、を含む一連の機能を前記端末装置に発揮させる、
集積回路。
【請求項１１】
複数のセルを用いる端末装置と接続する基地局装置に搭載される集積回路であって、
前記端末装置に対して一つ以上のセルの追加を通知する機能と、前記セルの追加を通知する場合に、通知した一部のセルを除いて前記端末装置において適用される、満了した場合に活性化しているセルを不活性化するタイマーを通知する機能と、を含む一連の機能を前記基地局装置に発揮させる、
集積回路。
【発明の詳細な説明】
【技術分野】
【０００１】
本発明の実施形態は、効率的にセルの状態を制御する端末装置、基地局装置、通信システム、制御方法および集積回路の技術に関する。
本願は、２０１３年７月１９日に、日本に出願された特願２０１３−１５０１００号に基づき優先権を主張し、その内容をここに援用する。
【背景技術】
【０００２】
標準化プロジェクトである３ＧＰＰ（3rd Generation Partnership Project）において、ＯＦＤＭ（Orthogonal Frequency-Division Multiplexing）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降EUTRAと称する）の標準化が行なわれた。【０００３】
また、３ＧＰＰでは、より高速なデータ伝送を実現し、ＥＵＴＲＡに対して上位互換性を持つＡｄｖａｎｃｅｄ  ＥＵＴＲＡの検討を行っている。ＥＵＴＲＡでは、基地局装置がほぼ同一のセル構成（セルサイズ）から成るネットワークを前提とした通信システムであったが、Ａｄｖａｎｃｅｄ  ＥＵＴＲＡでは、異なる構成の基地局装置（セル）が同じエリアに混在しているネットワーク（異種無線ネットワーク、ヘテロジニアスネットワーク（Ｈｅｔｅｒｏｇｅｎｅｏｕｓ  Ｎｅｔｗｏｒｋ））を前提とした通信システムの検討が行われている。【０００４】
ヘテロジニアスネットワークのように、セル半径の大きいセル（マクロセル）と、セル半径がマクロセルよりも小さいセル（スモールセル）とが配置される通信システムにおいて、端末装置が、マクロセルとスモールセルとに同時に接続して通信を行う技術（Ｄｕａｌ  Ｃｏｎｎｅｃｔｉｖｉｔｙ（デュアルコネクティビティ、双対接続性））について検討されている（非特許文献１）。【０００５】
非特許文献１において、端末装置がセル半径（セルサイズ）の大きいセル（マクロセル）とセル半径の小さいセル（スモールセル）との間でデュアルコネクティビティを実現しようとするとき、マクロセルとスモールセル間のバックボーン回線（Ｂａｃｋｈａｕｌ（バックホール））が低速であり、遅延が発生することを前提としたネットワークでの検討が進められている。すなわち、マクロセルとスモールセル間でやり取りされる制御情報またはユーザ情報が遅延することによって、デュアルコネクティビティにおいて従来では実現できていた機能が実現できない、または実現が困難となる可能性がある。【０００６】
例えば、従来はある１つの基地局装置が複数のセルのパケットスケジューリングについて集中的に制御していたが、バックボーン回線に遅延があるようなネットワークにおいて、このような集中制御を行うことは、無線状況を反映した最適なスケジューリングができない可能性がある。そのため、マクロセルの基地局装置とスモールセルの基地局装置との両方で動的なリソース割り当て機能を持たせることで、パケットスケジューリングを分散的に制御する方法が検討されている（非特許文献２）。
【先行技術文献】
【非特許文献】
【０００７】
【非特許文献１】Ｒ２−１３０４４４，ＮＴＴ  ＤＯＣＯＭＯ，  ＩＮＣ．，３ＧＰＰ  ＴＳＧ  ＲＡＮ２＃８１，Ｓｔ．  Ｊｕｌｉａｎ’ｓ，  Ｍａｌｔａ，  Ｊａｎｕａｒｙ  ２８ｔｈ  −  Ｆｅｂｒｕａｒｙ  １ｓｔ，  ２０１３．ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿８１／Ｄｏｃｓ／
【非特許文献２】Ｒ２−１３１７７８，  ＭｅｄｉａＴｅｋ  Ｉｎｃ．，３ＧＰＰ  ＴＳＧ  ＲＡＮ２＃８２，Ｆｕｋｕｏｋａ，  Ｊａｐａｎ，  Ｍａｙ  ２０ｔｈ  −  ２４ｔｈ，  ２０１３．ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿８２／Ｄｏｃｓ／
【発明の概要】
【発明が解決しようとする課題】
【０００８】
非特許文献２の例のように、基地局装置間の分散的なパケットスケジューリングを行うことによって、端末装置は、基地局装置間のバックボーン回線を介さずに直接フィードバック情報をそれぞれの基地局装置へ送信することができる。しかしながら、基地局装置が分散的なパケットスケジューリングを行うということは、互いの基地局装置が管理するセルの状態について把握できないという問題が発生する。【０００９】
すなわち、異なる基地局装置がデュアルコネクティビティによって接続される場合、それぞれの基地局装置は、端末装置に割り当てた複数のセルの状態について、自基地局装置が管理するセルの状態については把握（認識）できるが、他基地局装置が管理するセルの状態については把握できない。そのため、基地局装置と端末装置とで、セルの状態について状態不一致が生じる可能性がある。【００１０】
より具体的には、それぞれの基地局装置は自基地局装置が管理していないセルの状態を把握できないため、基地局装置は、活性化中（スケジューリング中）のセルを不活性化したり、逆に、不活性化中（非スケジューリング中）のセルを活性化したりする可能性がある。このように、端末装置に対するセル状態の制御を一つの基地局装置で集中的に行えないことによって、基地局装置のスケジューリングが非効率となり、端末装置のスループットが低下するという問題が発生する。【００１１】
本発明の実施形態は、効率的にセルの状態を制御することが可能な端末装置、基地局装置、通信システム、制御方法および集積回路に関する技術を提供することによって上記の課題の少なくとも１つを解決することを目的とする。
【課題を解決するための手段】
【００１２】
上記の目的を達成するために以下のような手段を講じた。すなわち、本発明の実施形態における端末装置は、基地局装置から送信される情報に基づいて一つ以上のセルを追加し、追加したセルを対象として適用される、満了した場合に活性化しているセルを不活性化するタイマーを、追加した一部のセルに対して適用しないように制御する方法を備えた複数のセルを用いる端末装置である。【００１３】
また、本発明の実施形態における端末装置において、タイマーを適用しない一部のセルは、基地局装置からＲＲＣメッセージを用いて通知されてもよい。【００１４】
また、本発明の実施形態における端末装置において、タイマーを適用しない前記一部のセルは、デュアルコネクティビティを用いて接続されるセカンダリセルの一つであってもよい。【００１５】
また、本発明の実施形態における基地局装置は、端末装置に対して一つ以上のセルの追加を通知し、セルの追加を通知する場合に、通知した一部のセルを除いて端末装置において適用される、満了した場合に活性化しているセルを不活性化するタイマーを通知する方法を備えた複数のセルを用いる端末装置と接続する基地局装置である。【００１６】
また、本発明の実施形態における基地局装置は、タイマーを適用しない前記一部のセルをＲＲＣメッセージを用いて前記端末装置に通知する方法を備えた複数のセルを用いる端末装置と接続する基地局装置である。【００１７】
また、本発明の実施形態における基地局装置において、タイマーを適用しない一部のセルは、デュアルコネクティビティを用いて接続されるセカンダリセルの一つであってもよい。【００１８】
また、本発明の実施形態における通信システムは、基地局装置は、端末装置に対して一つ以上のセルの追加を通知する場合に、通知した一部のセルを除いて端末装置において適用される、満了した場合に活性化しているセルを不活性化するタイマーを通知し、端末装置は、基地局装置から送信される情報に基づいて一つ以上のセルを追加し、満了した場合に活性化しているセルを不活性化するタイマーを、追加した一部のセルに対して適用しないように制御する方法を備えた通信システムである。【００１９】
また、本発明の実施形態における端末装置の制御方法は、基地局装置から送信される情報に基づいて一つ以上のセルを追加するステップと、追加したセルを対象として適用される、満了した場合に活性化しているセルを不活性化するタイマーを、追加した一部のセルに対して適用しないように制御するステップと、を少なくとも備える複数のセルを用いる端末装置の制御方法である。【００２０】
また、本発明の実施形態における基地局装置の制御方法は、端末装置に対して一つ以上のセルの追加を通知するステップと、セルの追加を通知する場合に、通知した一部のセルを除いて端末装置において適用される、満了した場合に活性化しているセルを不活性化するタイマーを通知するステップと、を少なくとも備える複数のセルを用いる端末装置と接続する基地局装置の制御方法である。【００２１】
また、本発明の実施形態における端末装置の集積回路は、端末装置において、基地局装置から送信される情報に基づいて一つ以上のセルを追加する機能と、追加したセルを対象として適用される、満了した場合に活性化しているセルを不活性化するタイマーを、追加した一部のセルに対して適用しないように制御する機能と、を含む一連の機能を端末装置に発揮させる、複数のセルを用いる端末装置に搭載される集積回路である。【００２２】
また、本発明の実施形態における基地局装置の集積回路は、端末装置に対して一つ以上のセルの追加を通知する機能と、セルの追加を通知する場合に、通知した一部のセルを除いて端末装置において適用される、満了した場合に活性化しているセルを不活性化するタイマーを通知する機能と、を含む一連の機能を基地局装置に発揮させる、複数のセルを用いる端末装置と接続する基地局装置に搭載される集積回路である。【００２３】
本明細書では、効率的にセルの状態を制御する端末装置、基地局装置、通信システム、制御方法および集積回路に関する技術という点において各実施形態を開示するが、各実施形態に対して適用可能な通信方式は、ＥＵＴＲＡまたはＡｄｖａｎｃｅｄ  ＥＵＴＲＡのようにＥＵＴＲＡと互換性のある通信方式に限定されるものではない。【００２４】
例えば、本明細書で述べられる技術は、符号分割多重アクセス（ＣＤＭＡ）、時分割多重アクセス（ＴＤＭＡ）、周波数分割多重アクセス（ＦＤＭＡ）、直交ＦＤＭＡ（ＯＦＤＭＡ）、シングルキャリアＦＤＭＡ（ＳＣ−ＦＤＭＡ）、およびその他のアクセス方式等を用いた、種々の通信システムにおいて使用され得る。また、本明細書において、システムとネットワークは同義的に使用され得る。
【発明の効果】
【００２５】
本発明の実施形態によれば、効率的にセルの状態を制御することが可能な端末装置、基地局装置、通信システム、制御方法および集積回路に関する技術を提供することが出来る。
【図面の簡単な説明】
【００２６】
【図１】本発明の実施形態に係る端末装置の概略構成の一例を示すブロック図である。
【図２】本発明の実施形態に係る基地局装置の概略構成の一例を示すブロック図である。
【図３】本発明の第１の実施形態に係るセル状態制御手順を示すシーケンスチャート図の一例である。
【図４】本発明の第１の実施形態に係るセル状態制御手順を示すシーケンスチャート図の別の一例である。
【図５】本発明の第１の実施形態に係るセル状態制御手順を示すシーケンスチャート図の別の一例である。
【図６】本発明の第３の実施形態に係るセル状態制御手順を示すシーケンスチャート図の一例である。
【図７】本発明の第３の実施形態に係るセル状態制御手順を示すシーケンスチャート図の別の一例である。
【図８】従来のセル状態の制御に用いる制御要素のフィーマットについて説明を示す図である。
【図９】本発明の実施形態に係るデュアルコネクティビティのアーキテクチャーの一例を示す図である。
【図１０】本発明の実施形態に係るデュアルコネクティビティのアーキテクチャーの別の一例を示す図である。
【発明を実施するための形態】
【００２７】
本発明の各実施形態に関わる技術について以下に簡単に説明する。
【００２８】
[物理チャネル／物理シグナル]
ＥＵＴＲＡおよびＡｄｖａｎｃｅｄ  ＥＵＴＲＡで使用される主な物理チャネル、物理シグナルについて説明を行なう。チャネルとは信号の送受信に用いられる媒体を意味し、物理チャネルとは信号の送受信に用いられる物理的な媒体を意味する。本発明において、物理チャネルは、信号と同義的に使用され得る。物理チャネルは、ＥＵＴＲＡ、およびＡｄｖａｎｃｅｄ  ＥＵＴＲＡにおいて、今後追加、または、その構造やフォーマット形式が変更または追加される可能性があるが、変更または追加された場合でも本発明の各実施形態の説明には影響しない。
【００２９】
ＥＵＴＲＡおよびＡｄｖａｎｃｅｄ  ＥＵＴＲＡでは、物理チャネルまたは物理シグナルのスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００３０】
同期シグナル（Synchronization Signals）は、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（物理セルＩＤ（Physical Cell Identity; PCI））と、無線同期のためのフレームタイミングが示される。端末装置は、セルサーチによって受信した同期シグナルの物理セルＩＤを特定する。
【００３１】
物理報知情報チャネル（PBCH; Physical Broadcast Channel）は、セル内の端末装置で共通に用いられる制御パラメータ（報知情報（システム情報）；System information）を通知（設定）する目的で送信される。物理報知情報チャネルで通知されない報知情報は、物理下りリンク制御チャネルで報知情報が送信される無線リソースがセル内の端末装置に対して通知され、通知された無線リソースにおいて、物理下りリンク共用チャネルによって報知情報を通知するレイヤ３メッセージ（システムインフォメーション）が送信される。
【００３２】
報知情報として、セル個別の識別子を示すセルグローバル識別子（CGI; Cell Global Identifier）、ページングによる待ち受けエリアを管理するトラッキングエリア識別子（TAI; Tracking Area Identifier）、ランダムアクセス設定情報、送信タイミング調整情報、当該セルにおける共通無線リソース設定情報、周辺セル情報、上りリンクアクセス制限情報などが通知される。
【００３３】
下りリンクリファレンスシグナルは、その用途によって複数のタイプに分類される。例えば、セル固有ＲＳ（Cell-specific reference signals）は、セル毎に所定の電力で送信されるパイロットシグナルであり、所定の規則に基づいて周波数領域および時間領域で周期的に繰り返される下りリンクリファレンスシグナルである。端末装置は、セル固有ＲＳを受信することでセル毎の受信品質を測定する。また、端末装置は、セル固有ＲＳと同時に送信される物理下りリンク制御チャネル、または物理下りリンク共用チャネルの復調のための参照用の信号としてもセル固有ＲＳを使用する。セル固有ＲＳに使用される系列は、セル毎に識別可能な系列が用いられる。
【００３４】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ；ＣＳＩ−ＲＳ）と称する。また、端末装置に対して個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）、Ｄｅｍｏｄｕｌａｔｉｏｎ  Ｒｅｆｅｒｅｎｃｅ  Ｓｉｇｎａｌ（ＤＭＲＳ）またはＤｅｄｉｃａｔｅｄ  ＲＳ（ＤＲＳ）と称され、物理下りリンク制御チャネル、拡張物理下りリンク制御チャネル、または物理下りリンク共用チャネルを復調するときのチャネルの伝搬路補償処理のために参照される。
【００３５】
物理下りリンク制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）は、各サブフレームの先頭からいくつかのＯＦＤＭシンボル（例えば１〜４ＯＦＤＭシンボル）で送信される。拡張物理下りリンク制御チャネル（ＥＰＤＣＣＨ；  Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）は、物理下りリンク共用チャネルＰＤＳＣＨが配置されるＯＦＤＭシンボルに配置される物理下りリンク制御チャネルである。ＰＤＣＣＨまたはＥＰＤＣＣＨは、端末装置に対して基地局装置のスケジューリングに従った無線リソース割り当て情報や、送信電力の増減の調整量を指示する情報を通知する目的で使用される。以降、単に物理下りリンク制御チャネル（ＰＤＣＣＨ）と記載した場合、特に明記がなければ、ＰＤＣＣＨとＥＰＤＣＣＨの両方の物理チャネルを意味する。
【００３６】
端末装置は、下りリンクデータや下りリンク制御データであるレイヤ２メッセージおよびレイヤ３メッセージ（ページング、ハンドオーバーコマンドなど）を送受信する前に自装置宛の物理下りリンク制御チャネルを監視（モニタ）し、自装置宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。なお、物理下りリンク制御チャネルは、上述したＯＦＤＭシンボルで送信される以外に、基地局装置から端末装置に対して個別（ｄｅｄｉｃａｔｅｄ）に割り当てられるリソースブロックの領域で送信されるように構成することも可能である。
【００３７】
物理上りリンク制御チャネル（PUCCH; Physical Uplink Control Channel）は、物理下りリンク共用チャネルで送信された下りリンクデータの受信確認応答（ＡＣＫ／ＮＡＣＫ；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ；Ｃｈａｎｎｅｌ  Ｓｔａｔｅ  Ｉｎｆｏｒｍａｔｉｏｎ）、上りリンクの無線リソース割り当て要求（無線リソース要求、スケジューリングリクエスト（ＳＲ；Ｓｃｈｅｄｕｌｉｎｇ  Ｒｅｑｕｅｓｔ））を行なうために使用される。
【００３８】
ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）、ＲＩ（Ｒａｎｋ  Ｉｎｄｉｃａｔｏｒ）を含む。各Ｉｎｄｉｃａｔｏｒは、Ｉｎｄｉｃａｔｉｏｎと表記されてもよい。
【００３９】
物理下りリンク共用チャネル（PDSCH; Physical Downlink Shared Channel）は、下りリンクデータの他、ページングや物理報知情報チャネルで通知されない報知情報（システムインフォメーション）をレイヤ３メッセージとして端末装置に通知するためにも使用される。物理下りリンク共用チャネルの無線リソース割り当て情報は、物理下りリンク制御チャネルで示される。物理下りリンク共用チャネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重されている。
【００４０】
物理上りリンク共用チャネル（PUSCH; Physical Uplink Shared Channel）は、主に上りリンクデータと上りリンク制御データを送信し、ＣＳＩやＡＣＫ／ＮＡＣＫなどの制御データを含めることも可能である。また、上りリンクデータの他、上りリンク制御情報をレイヤ２メッセージおよびレイヤ３メッセージとして端末装置から基地局装置に通知するためにも使用される。また、下りリンクと同様に物理上りリンク共用チャネルの無線リソース割り当て情報は、物理下りリンク制御チャネルで示される。
【００４１】
上りリンクリファレンスシグナル（上りリンク参照信号；Uplink Reference Signal（上りリンクパイロット信号、上りリンクパイロットチャネルとも呼称する））は、基地局装置が、物理上りリンク制御チャネルＰＵＣＣＨおよび／または物理上りリンク共用チャネルＰＵＳＣＨを復調するために使用する復調参照信号（ＤＭＲＳ；Demodulation Reference Signal）と、基地局装置が、主に、上りリンクのチャネル状態を推定するために使用するサウンディング参照信号（ＳＲＳ；Sounding Reference Signal）が含まれる。また、サウンディング参照信号には、周期的に送信される周期的サウンディング参照信号（Ｐｅｒｉｏｄｉｃ  ＳＲＳ）と、基地局装置から指示されたときに送信される非周期的サウンディング参照信号（Ａｐｅｒｉｏｄｉｃ  ＳＲＳ）とがある。
【００４２】
物理ランダムアクセスチャネル（PRACH; Physical Random Access Channel）は、プリアンブル系列を通知（設定）するために使用されるチャネルであり、ガードタイムを有する。プリアンブル系列は、複数のシーケンスによって基地局装置へ情報を通知するように構成される。例えば、６４種類のシーケンスが用意されている場合、６ビットの情報を基地局装置へ示すことができる。物理ランダムアクセスチャネルは、端末装置の基地局装置へのアクセス手段として用いられる。
【００４３】
端末装置は、物理上りリンク制御チャネル未設定時の上りリンクの無線リソース要求のため、または、上りリンク送信タイミングを基地局装置の受信タイミングウィンドウに合わせるために必要な送信タイミング調整情報（タイミングアドバンス（Ｔｉｍｉｎｇ  Ａｄｖａｎｃｅ；ＴＡ）とも呼ばれる）を基地局装置に要求するためなどに物理ランダムアクセスチャネルを用いる。また、基地局装置は、端末装置に対して物理下りリンク制御チャネルを用いてランダムアクセス手順の開始を要求することもできる。
【００４４】
レイヤ３メッセージは、端末装置と基地局装置のＲＲＣ（無線リソース制御）層でやり取りされる制御平面（ＣＰ（Ｃｏｎｔｒｏｌ−ｐｌａｎｅ、Ｃ−Ｐｌａｎｅ））のプロトコルで取り扱われるメッセージであり、ＲＲＣシグナリングまたはＲＲＣメッセージと同義的に使用され得る。なお、制御平面に対し、ユーザデータを取り扱うプロトコルのことをユーザ平面（ＵＰ（Ｕｓｅｒ−ｐｌａｎｅ、Ｕ−Ｐｌａｎｅ））と称する。
【００４５】
なお、それ以外の物理チャネルまたは物理シグナルは、本発明の各実施形態に関わらないため詳細な説明は省略する。説明を省略した物理チャネルまたは物理シグナルとして、物理制御フォーマット指示チャネル（PCFICH：Physical control format indicator channel）、物理ＨＡＲＱ指示チャネル（PHICH：Physical hybrid ARQ indicator channel）、物理マルチキャストチャネル（PMCH：Physical multicast channel）などがある。
【００４６】
[無線ネットワーク]
基地局装置によって制御される各周波数の通信可能範囲（通信エリア）はセルとしてみなされる。このとき、基地局装置がカバーする通信エリアは周波数毎にそれぞれ異なる広さ、異なる形状であっても良い。また、カバーするエリアが周波数毎に異なっていてもよい。基地局装置の種別やセル半径の大きさが異なるセルが、同一の周波数または異なる周波数のエリアに混在して一つの通信システムを形成している無線ネットワークのことを、ヘテロジニアスネットワークと称する。
【００４７】
端末装置は、セルの中を通信エリアとみなして動作する。端末装置が、あるセルから別のセルへ移動するときは、非無線接続時（非通信中）はセル再選択手順、無線接続時（通信中）はハンドオーバー手順によって別の適切なセルへ移動する。適切なセルとは、一般的に端末装置のアクセスが基地局装置から指定される情報に基づいて禁止されていないと判断したセルであって、かつ、下りリンクの受信品質が所定の条件を満足するセルのことを示す。
【００４８】
基地局装置は端末装置が該基地局装置で通信可能なエリアであるセルを周波数毎に管理する。１つの基地局装置が複数のセルを管理していてもよい。セルは、端末装置と通信可能なエリアの大きさ（セルサイズ）に応じて複数の種別に分類される。例えば、セルは、マクロセルとスモールセルに分類される。スモールセルは、一般的に半径数メートルから数十メートルまでをカバーするセルである。また、スモールセルは、そのエリアの大きさに応じて、フェムトセル、ピコセル、ナノセルなどに分類されることもある。
【００４９】
端末装置がある基地局装置と通信可能であるとき、その基地局装置のセルのうち、端末装置との通信に使用されるように設定されているセルは在圏セル（Serving cell）であり、その他の通信に使用されないセルは周辺セル（Neighboring cell）と称される。
【００５０】
[プライマリセル、セカンダリセル]
また、端末装置と基地局装置は、キャリア・アグリゲーションによって複数の異なる周波数バンド（周波数帯）の周波数（コンポーネントキャリア、または周波数帯域）を集約（アグリゲート、ａｇｇｒｅｇａｔｅ）して一つの周波数（周波数帯域）のように扱う技術を適用してもよい。キャリア・アグリゲーションにおいて、コンポーネントキャリアとして、上りリンクに対応する上りリンクコンポーネントキャリアと、下りリンクに対応する下りリンクコンポーネントキャリアとがある。本明細書において、周波数と周波数帯域は同義的に使用され得る。
【００５１】
例えば、キャリア・アグリゲーションによって周波数帯域幅が２０ＭＨｚのコンポーネントキャリアを５つ集約した場合、キャリア・アグリゲーションを可能な能力を持つ端末装置はこれらを１００ＭＨｚの周波数帯域幅とみなして送受信を行う。なお、集約するコンポーネントキャリアは連続した周波数であっても、全てまたは一部が不連続となる周波数であってもよい。例えば、使用可能な周波数バンドが８００ＭＨｚ帯、２ＧＨｚ帯、３．５ＧＨｚ帯である場合、あるコンポーネントキャリアが８００ＭＨｚ帯、別のコンポーネントキャリアが２ＧＨｚ帯、さらに別のコンポーネントキャリアが３．５ＧＨｚ帯で送信されていてもよい。
【００５２】
また、同一周波数帯の連続または不連続の複数のコンポーネントキャリアを集約することも可能である。各コンポーネントキャリアの周波数帯域幅は端末装置の受信可能周波数帯域幅（例えば２０ＭＨｚ）よりも狭い周波数帯域幅（例えば５ＭＨｚや１０ＭＨｚ）であっても良く、集約する周波数帯域幅が各々異なっていても良い。周波数帯域幅は、後方互換性を考慮して従来のセルの周波数帯域幅のいずれかと等しいことが望ましいが、従来のセルの周波数帯域と異なる周波数帯域幅を持っていても構わない。
【００５３】
キャリア・アグリゲーションによって、後方互換性のないコンポーネントキャリア（キャリアタイプ）を集約してもよい。この後方互換性のないコンポーネントキャリアのことを、ニューキャリアタイプ（ＮＣＴ）とも称する。なお、基地局装置が端末装置に割り当てる（設定する、追加する）上りリンクコンポーネントキャリアの数は、下りリンクコンポーネントキャリアの数と同じか少ないことが望ましい。
【００５４】
端末装置と基地局装置は、ある上りリンクコンポーネントキャリアと、当該上りリンクコンポーネントキャリアとセル固有接続される下りリンクコンポーネントキャリアから構成されるセルを、プライマリセル（ＰＣｅｌｌ：Ｐｒｉｍａｒｙ  ｃｅｌｌ）として管理する。また、端末装置と基地局装置は、プライマリセル以外のコンポーネントキャリアから構成されるセルを、セカンダリセル（ＳＣｅｌｌ：Ｓｅｃｏｎｄａｒｙ  ｃｅｌｌ）として管理する。
【００５５】
端末装置は、プライマリセルにおいて、ページングメッセージの受信、報知情報の更新の検出、初期アクセス手順、セキュリティ情報の設定などを行う一方、セカンダリセルではこれらを行わないでもよい。プライマリセルとセカンダリセルとを合わせてサービングセル（在圏セル）と称する。
【００５６】
プライマリセルは活性化（Ａｃｔｉｖａｔｉｏｎ）および不活性化（Ｄｅａｃｔｉｖａｔｉｏｎ）の制御の対象外であるが（つまり、プライマリセルは必ず活性化しているとみなされる）、セカンダリセルは活性化と不活性化というアクティビティに応じたセルの状態（ｓｔａｔｅ）を持つ。セルの状態に関し、活性化されている状態をＡｃｔｉｖａｔｅｄ  ｓｔａｔｅ、不活性化されている状態をＤｅａｃｔｉｖａｔｅｄ  ｓｔａｔｅとも称する。セル（セカンダリセル）の状態は、基地局装置から明示的に状態の変更が指定（通知、指示）される場合もあるし、コンポーネントキャリア（セカンダリセル）毎に端末装置が計時するタイマー情報（セカンダリセル不活性化タイマー；ディアクティベーションタイマー）に基づいて状態が変更される場合もある。
【００５７】
セカンダリセルの活性化および／または不活性化に関する制御について説明する。基地局装置は、端末装置に対し、セカンダリセルの活性化および／または不活性化を示すコマンドを通知する。該コマンドは、ＭＡＣ層でデコードされるＭＡＣ  ＰＤＵ（Protocol data unit）に含まれるＭＡＣ制御要素（ＭＡＣ−ＣＥ：MAC control element）として端末装置に送信される。
【００５８】
セカンダリセルの活性化および／または不活性化を示すコマンドの詳細について、図８を用いて説明する。端末装置は、セカンダリセルの活性化および／または不活性化を示すＭＡＣ制御要素（Activation/Deactivation MAC control element）として、図８のフォーマット（ビット構造（構成））によって通知される１オクテットのビット列（８ビット）を受信する。図中の「Ｒ」フィールドはリザーブビットであり、０（ゼロ）である。なお、図８は、端末装置が活性化および／または不活性化とみなした後のセカンダリセルの状態を示すコマンドであると解釈されても良い。
【００５９】
また、「Ｃ（ｉ）」フィールド（ｉ＝１〜７）は、セカンダリセルの状態をそれぞれ活性化および／または不活性化に関する指示情報を論理値によって示すビットマップ情報である。ｉはセカンダリセルのインデックス番号であり、基地局装置からセカンダリセルを設定する（割り当てる）際に端末装置に通知される。「Ｃ（ｉ）」フィールドの論理値が１である場合、端末装置は、インデックスｉに対応するセカンダリセルを活性化の状態にする。一方、「Ｃ（ｉ）」フィールドの論理値が０（ゼロ）である場合、端末装置は、インデックスｉに対応するセカンダリセルを不活性化の状態にする。インデックスｉに対応するセカンダリセルが端末装置に設定されていない場合、端末装置は、インデックスｉの値を無視する。
【００６０】
Ｃ（ｉ）フィールドにおいて、活性化しているセカンダリセルに対して活性化（すなわち、１）が設定された場合、および、不活性化しているセカンダリセルに対して不活性化（すなわち、０（ゼロ））が設定された場合、端末装置は該当するセルの状態をそのまま維持する。
【００６１】
また、端末装置は、活性化したセカンダリセルに対し、セカンダリセル不活性化タイマーをスタート（または再スタート）する。すなわち、セカンダリセル不活性化タイマーは活性化したセカンダリセル毎に計時される。セカンダリセル不活性化タイマーが満了した場合、端末装置は、対応するセカンダリセルを不活性化する。セカンダリセル不活性化タイマーは端末装置に設定された全てのセカンダリセルについて共通の初期値が適用される。セカンダリセル不活性化タイマーは、ＰＤＣＣＨによって上りリンクグラントまたは下りリンクアサインメントが通知された場合、該ＰＤＣＣＨを受信したセカンダリセル、または該ＰＤＣＣＨによって無線リソースが割り当てられたセカンダリセル、またはその両方のセカンダリセルにおいて再スタートされる。
【００６２】
端末装置は、活性化したセカンダリセルにおいて、ＳＲＳの送信、および、ＣＳＩの報告を開始する。また、端末装置は、活性化したセカンダリセルのＰＤＣＣＨの監視（モニタリング）、および、活性化したセカンダリセルのスケジューリングに使用されるセルのＰＤＣＣＨの監視（モニタリング）を開始する。一方、端末装置は、不活性化したセカンダリセルにおいて、ＳＲＳの送信、ＣＳＩの報告、上りリンクデータの送信、ランダムアクセス手順の開始、該セカンダリセルのＰＤＣＣＨの監視（モニタリング）、および、該セカンダリセルのスケジューリングに使用されるセルのＰＤＣＣＨの監視（モニタリング）をそれぞれ停止する。
【００６３】
なお、キャリア・アグリゲーションは、複数のコンポーネントキャリア（周波数帯域）を用いた複数のセルによる通信であり、セル・アグリゲーションとも称される。なお、端末装置は、周波数毎にリレー局装置（またはリピーター）を介して基地局装置と無線接続されても良い。すなわち、本発明の各実施形態の基地局装置は、リレー局装置に置き換えることも出来る。
【００６４】
[デュアルコネクティビティ]
図９および図１０を用いてデュアルコネクティビティの基本構造（アーキテクチャー）について説明する。図９および図１０は、端末装置１が、複数の基地局装置２（図中では基地局装置２−１、基地局装置２−２で示す）と同時に接続していることを示している。基地局装置２−１はマクロセルを構成する基地局装置であり、基地局装置２−２はスモールセルを構成する基地局装置であるとする。このように、端末装置１が、複数の基地局装置２に属する複数のセルを用いて同時に接続することをデュアルコネクティビティと称し、デュアルコネクティビティを実現するための技術を用いて端末装置１と複数の基地局装置２とが接続することを、「デュアルコネクティビティを用いる」、「デュアルコネクティビティによる接続」、またはこれらと同義の表現を用いて説明する。各基地局装置２に属するセルは同じ周波数で運用されていてもよいし、異なる周波数で運用されていてもよい。
【００６５】
なお、キャリア・アグリゲーションは、複数のセルを一つの基地局装置２が管理し、各セルの周波数が異なるという点、および、複数のセル間が遅延の影響を考慮する必要がない高速なバックボーン回線である点がデュアルコネクティビティによる接続と異なる。換言すると、キャリア・アグリゲーションは、一つの端末装置１と一つの基地局装置２とを、周波数が異なる複数のセルを介して接続させる技術であるのに対し、デュアルコネクティビティは、一つの端末装置１と複数の基地局装置２とを、周波数が同じまたは異なる複数のセルを介して接続させる技術である。
【００６６】
端末装置１と基地局装置２は、キャリア・アグリゲーションに適用される技術を、デュアルコネクティビティに対して適用することができる。例えば、端末装置１と基地局装置２は、プライマリセルおよびセカンダリセルの管理（追加、削除、変更など）、キャリア・アグリゲーションに対応した測定方法および測定イベント設定、活性化／不活性化などの技術をデュアルコネクティビティにより接続されるセルに対して適用してもよい。
【００６７】
図９および図１０において、基地局装置２−１または基地局装置２−２は、ＭＭＥ３００とＳＧＷ４００とバックボーン回線で接続されている。ＭＭＥ３００は、ＭＭＥ（Mobility Management Entity）に対応する基地局装置２よりも上位のコアネットワークにおける制御局装置であり、端末装置１の移動性管理や認証制御（セキュリティ制御）および基地局装置２に対するユーザデータの経路を設定する役割などを持つ。ＳＧＷ４００は、Ｓｅｒｖｉｎｇ  Ｇａｔｅｗａｙ（Ｓ−ＧＷ）に対応する上位のコアネットワークにおける制御局装置であり、ＭＭＥ３００によって設定された端末装置１へのユーザデータの経路に従ってユーザデータを伝送する役割などを持つ。
【００６８】
また、図９および図１０において、基地局装置２−１または基地局装置２−２とＳＧＷ４００の接続経路は、ＳＧＷインターフェースＮ１０と称される。また、基地局装置２−１または基地局装置２−２とＭＭＥ３００の接続経路は、ＭＭＥインターフェースＮ２０と称される。また、基地局装置２−１と基地局装置２−２の接続経路は、基地局インターフェースＮ３０と称される。ＳＧＷインターフェースＮ１０は、ＥＵＴＲＡにおいてＳ１−Ｕインターフェースとも称される。また、ＭＭＥインターフェースＮ２０は、ＥＵＴＲＡにおいてＳ１−ＭＭＥインターフェースとも称される。また、基地局インターフェースＮ３０は、ＥＵＴＲＡにおいてＸ２インターフェースとも称される。
【００６９】
デュアルコネクティビティを実現するアーキテクチャーとして、図９のようなネットワークの構成をとることができる。図９において、基地局装置２−１とＭＭＥ３００は、ＭＭＥインターフェースＮ２０によって接続されている。また、基地局装置２−１とＳＧＷ４００は、ＳＧＷインターフェースＮ１０によって接続されている。また、基地局装置２−１は、基地局インターフェースＮ３０を介して、基地局装置２−２へＭＭＥ３００、および／またはＳＧＷ４００との通信経路を提供する。換言すると、基地局装置２−２は、基地局装置２−１を経由してＭＭＥ３００、および／またはＳＧＷ４００と接続されている。
【００７０】
また、デュアルコネクティビティを実現する別のアーキテクチャーとして、図１０のようなネットワークの構成をとることができる。図１０において、基地局装置２−１とＭＭＥ３００は、ＭＭＥインターフェースＮ２０によって接続されている。また、基地局装置２−１とＳＧＷ４００は、ＳＧＷインターフェースＮ１０によって接続されている。基地局装置２−１は、基地局インターフェースＮ３０を介して、基地局装置２−２へＭＭＥ３００との通信経路を提供する。換言すると、基地局装置２−２は、基地局装置２−１を経由してＭＭＥ３００と接続されている。また、基地局装置２−２は、ＳＧＷインターフェースＮ１０を介してＳＧＷ４００と接続されている。
【００７１】
なお、基地局装置２−２とＭＭＥ３００が、ＭＭＥインターフェースＮ２０によって直接接続されるような構成であってもよい。また、本技術はデュアルコネクティビティという名称で呼ばれるが、端末装置１と接続される基地局装置２の数が２つまでに限定されるというわけではなく、３つ以上の基地局装置２と接続することも可能である。
【００７２】
以上の事項を考慮しつつ、以下、添付図面を参照しながら本発明の適切な実施形態について詳細に説明する。なお、本発明の実施形態の説明において、本発明の実施形態に関連した公知の機能や構成についての具体的な説明が、本発明の実施形態の要旨を不明瞭にすると判断される場合には、その詳細な説明を省略する。
【００７３】
＜第１の実施形態＞
本発明の第１の実施形態について以下に説明する。
【００７４】
図１は、本発明の第１の実施形態による端末装置１の一例を示すブロック図である。本端末装置１は、受信部１０１、復調部１０２、復号部１０３、受信データ制御部１０４、物理レイヤ制御部１０５、送信データ制御部１０６、符号部１０７、変調部１０８、送信部１０９、無線リソース制御部１１０から少なくとも構成される。図中の「部」とは、セクション、回路、構成装置、デバイス、ユニットなど用語によっても表現される、端末装置１の機能および各手順を実現する要素である。
【００７５】
無線リソース制御部１１０は、端末装置１の無線リソース制御を執り行うＲＲＣ（Ｒａｄｉｏ  Ｒｅｓｏｕｒｃｅ  Ｃｏｎｔｒｏｌ）層の各機能を実行するブロックである。また、受信データ制御部１０４と送信データ制御部１０６は、データリンク層を管理するＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、ＰＤＣＰ（Ｐａｃｋｅｔ  Ｄａｔａ  Ｃｏｎｖｅｒｇｅｎｃｅ  Ｐｒｏｔｏｃｏｌ）層における各機能を実行するブロックである。
【００７６】
なお、端末装置１は、キャリア・アグリゲーション、および／またはデュアルコネクティビティによる複数の周波数（周波数帯、周波数帯域幅）またはセルの同時受信をサポートするために受信系のブロック（受信部１０１、復調部１０２、復号部１０３）、および複数の周波数（周波数帯、周波数帯域幅）またはセルの同時送信をサポートするために送信系のブロック（符号部１０７、変調部１０８、送信部１０９）を複数備える構成であってもよい。また、端末装置１は、受信データ制御部１０４、物理レイヤ制御部１０５、送信データ制御部１０６、無線リソース制御部１１０を複数備える構成であってもよい。
【００７７】
端末装置１の受信処理に関し、無線リソース制御部１１０より受信データ制御部１０４へ受信データ制御情報が入力され、物理レイヤ制御部１０５には各ブロックを制御するための制御パラメータである物理レイヤ制御情報が入力される。物理レイヤ制御情報は、受信制御情報と送信制御情報によって構成される端末装置１の無線通信制御に必要なパラメータ設定を含む情報である。
【００７８】
物理レイヤ制御情報は、基地局装置２から端末装置１に対して個別（ｄｅｄｉｃａｔｅｄ）に送信される無線接続リソース設定、セル固有の報知情報、またはシステムパラメータなどによって設定され、無線リソース制御部１１０が必要に応じて物理レイヤ制御部１０５へ入力する。物理レイヤ制御部１０５は、受信に関する制御情報である受信制御情報を、受信部１０１、復調部１０２、復号部１０３へ適切に入力する。
【００７９】
受信制御情報は、下りリンクスケジューリング情報として、受信周波数帯域の情報、物理チャネルと物理シグナルに関する受信タイミング、多重方法、無線リソース配置情報などの情報が含まれている。また、受信データ制御情報は、セカンダリセル不活性化タイマー情報、ＤＲＸ制御情報、マルチキャストデータ受信情報、下りリンク再送制御情報などを含む下りリンクの制御情報であり、ＭＡＣ層、ＲＬＣ層、ＰＤＣＰ層におけるそれぞれの下りリンクに関する制御情報が含まれている。
【００８０】
受信信号は、受信部１０１において受信される。受信部１０１は、受信制御情報で指定された周波数と周波数帯域に従って基地局装置２からの信号を受信する。受信された信号は復調部１０２へと入力される。復調部１０２は信号の復調を行う。復調部１０２は、復号部１０３へと復調後の信号を入力する。復号部１０３は、入力された信号を復号し、復号された各データ（下りリンクデータと下りリンク制御データ、下りリンクトランスポートブロックとも称す）を受信データ制御部１０４へと入力する。また、各データと共に基地局装置２から送信されたＭＡＣ制御要素も復号部１０３で復号され、受信データ制御部１０４へと入力される。
【００８１】
受信データ制御部１０４は、受信したＭＡＣ制御要素に基づく物理レイヤ制御部１０５の制御や、復号された各データをバッファリングし、再送されたデータの誤り訂正制御（ＨＡＲＱ）を行う。受信データ制御部１０４へ入力された各データは、無線リソース制御部１１０へと入力（転送）される。
【００８２】
また、端末装置１の送信処理に関し、無線リソース制御部１１０より送信データ制御部１０６へ送信データ制御情報が入力され、物理レイヤ制御部１０５には各ブロックを制御するための制御パラメータである物理レイヤ制御情報が入力される。物理レイヤ制御部１０５は、送信に関する制御情報である送信制御情報を、符号部１０７、変調部１０８、送信部１０９へ適切に入力する。送信制御情報は、上りリンクスケジューリング情報として、符号化情報、変調情報、送信周波数帯域の情報、物理チャネルと物理シグナルに関する送信タイミング、多重方法、無線リソース配置情報などの情報が含まれている。
【００８３】
また、送信データ制御情報は、ＤＴＸ制御情報、ランダムアクセス設定情報、上りリンク共用チャネル情報、論理チャネルプライオリティ情報、リソース要求設定情報、セルグループ情報、上りリンク再送制御情報などを含む上りリンクの制御情報である。無線リソース制御部１１０は、複数のセルにそれぞれ対応した複数のランダムアクセス設定情報を送信データ制御部１０６に設定してもよい。また、無線リソース制御部１１０は、上りリンク送信タイミングの調整に用いる送信タイミング調整情報と送信タイミングタイマーを管理し、セル毎（またはセルグループ毎、ＴＡグループ毎）に上りリンク送信タイミングの状態（送信タイミング調整状態または送信タイミング非調整状態）を管理する。送信タイミング調整情報と送信タイミングタイマーは、送信データ制御情報に含まれる。
【００８４】
なお、複数の上りリンク送信タイミングの状態を管理する必要がある場合、送信データ制御部１０６は、複数のそれぞれのセル（またはセルグループ、ＴＡグループ）の上りリンク送信タイミングに対応する送信タイミング調整情報を管理する。リソース要求設定情報には、少なくとも最大送信カウンタ設定情報と無線リソース要求禁止タイマー情報とが含まれている。無線リソース制御部１１０は、複数のセルにそれぞれ対応した複数のリソース要求設定情報を送信データ制御部１０６に設定してもよい。
【００８５】
端末装置１で生起した送信データ（上りリンクデータと上りリンク制御データ、上りリンクトランスポートブロックとも称す）は、無線リソース制御部１１０より任意のタイミングで送信データ制御部１０６に入力される。このとき、送信データ制御部１０６は、入力された送信データの量（上りリンクバッファ量）を計算する。また、送信データ制御部１０６は、入力された送信データが制御平面に属するデータなのか、ユーザ平面に属するデータなのかを判別する機能を有する。
【００８６】
また、送信データ制御部１０６は、送信データ制御部１０６に対して送信データが入力されたときに、送信データ制御部１０６内（図示せず）の上りリンクバッファに送信データを格納する。そして、送信データ制御部１０６は、入力された送信データの送信に必要な無線リソースが端末装置１に対して割り当てられているかを判断する。送信データ制御部１０６は、無線リソース割り当てに基づいて、物理上りリンク共用チャネルＰＵＳＣＨ、物理上りリンク制御チャネル（ＳＲ−ＰＵＣＣＨ）を用いた無線リソース要求、または物理ランダムアクセスチャネルを用いた無線リソース要求のいずれか一つを選択し、選択したチャネルを送信するための制御処理を物理レイヤ制御部１０５に対して要求する。
【００８７】
すなわち、すでに無線リソースが割り当てられており、送信データを物理上りリンク共用チャネルＰＵＳＣＨで送信可能な状態であるとき、符号部１０７は、無線リソース制御部１１０の指示に従って割り当て済みの無線リソースに対応する送信データを上りリンクバッファから取得して符号化し、変調部１０８へと入力する。または、無線リソースが割り当てられていないときで、物理上りリンク制御チャネルによる無線リソース要求（ＳＲ−ＰＵＣＣＨ）が可能であるとき、符号部１０７は、無線リソース制御部１１０の指示に従ってＳＲ−ＰＵＣＣＨの送信に必要な制御データを符号化し、変調部１０８へと入力する。
【００８８】
または、無線リソースが割り当てられていないときで、物理上りリンク制御チャネルによる無線リソース要求（ＳＲ−ＰＵＣＣＨ）が不可能であるとき、符号部１０７は、送信データ制御部１０６に対してランダムアクセス手順の開始を指示する。このとき、符号部１０７は、送信データ制御部１０６から入力されるランダムアクセス設定情報に基づき物理ランダムアクセスチャネルで送信されるプリアンブル系列を生成する。また、符号部１０７は、送信制御情報に従って各データを適切に符号化し、変調部１０８へと入力する。
【００８９】
変調部１０８は、符号化された各データを送信するチャネル構造に基づいて適切な変調処理を行う。送信部１０９は、変調処理された各データを周波数領域にマッピングすると共に、周波数領域の信号を時間領域の信号へ変換し、既定の周波数の搬送波にのせて電力増幅を行う。送信部１０９は、また、無線リソース制御部１１０より入力されたセル毎（またセルグループ毎、ＴＡグループ毎）の送信タイミング調整情報に従って上りリンク送信タイミングを調整する。上りリンク制御データが配置される物理上りリンク共用チャネルは、ユーザデータの他に、例えばレイヤ３メッセージ（無線リソース制御メッセージ；ＲＲＣメッセージ）を含めることも可能である。
【００９０】
図１において、その他の端末装置１の構成要素や、構成要素間のデータ（制御情報）の伝送経路については省略してあるが、端末装置１として動作するために必要なその他の機能を有する複数のブロックを構成要素として持つことは明らかである。例えば、無線リソース制御部１１０の上位には、コアネットワークとの制御を執り行うＮＡＳレイヤ部や、アプリケーションレイヤ部が存在している。
【００９１】
図２は、本発明の第１の実施形態による基地局装置２の一例を示すブロック図である。本基地局装置は、受信部２０１、復調部２０２、復号部２０３、受信データ制御部２０４、物理レイヤ制御部２０５、送信データ制御部２０６、符号部２０７、変調部２０８、送信部２０９、無線リソース制御部２１０、ネットワーク信号送受信部２１１から少なくとも構成される。図中の「部」とは、セクション、回路、構成装置、デバイス、ユニットなどの用語によっても表現される、基地局装置２の機能および各手順を実行する要素である。
【００９２】
無線リソース制御部２１０は、基地局装置２の無線リソース制御を執り行うＲＲＣ（Ｒａｄｉｏ  Ｒｅｓｏｕｒｃｅ  Ｃｏｎｔｒｏｌ）層の各機能を実行するブロックである。また、受信データ制御部２０４と送信データ制御部２０６は、データリンク層を管理するＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、ＰＤＣＰ（Ｐａｃｋｅｔ  Ｄａｔａ  Ｃｏｎｖｅｒｇｅｎｃｅ  Ｐｒｏｔｏｃｏｌ）層における各機能を実行するブロックである。
【００９３】
なお、基地局装置２は、キャリア・アグリゲーション、および／またはデュアルコネクティビティによる複数の周波数（周波数帯、周波数帯域幅）をサポートするために受信系のブロック（受信部２０１、復調部２０２、復号部２０３）、および送信系のブロック（符号部２０７、変調部２０８、送信部２０９）を複数備える構成であってもよい。また、受信データ制御部２０４、物理レイヤ制御部２０５、送信データ制御部２０６、無線リソース制御部２１０、ネットワーク信号送受信部２１１を複数備える構成であってもよい。
【００９４】
無線リソース制御部２１０は、下りリンクデータと下りリンク制御データを送信データ制御部２０６へと入力する。送信データ制御部２０６は、端末装置１へ送信するＭＡＣ制御要素が存在する場合、ＭＡＣ制御要素と各データ（下りリンクデータまたは下りリンク制御データ）を符号部２０７へと入力する。符号部２０７は、入力されたＭＡＣ制御要素と各データを符号化し、変調部２０８へと入力する。変調部２０８は、符号化された信号の変調を行なう。
【００９５】
また、変調部２０８で変調された信号は送信部２０９に入力される。送信部２０９は、入力された信号を周波数領域にマッピングした後、周波数領域の信号を時間領域の信号へ変換し、既定の周波数の搬送波にのせて電力増幅を行い送信する。下りリンク制御データが配置される物理下りリンク共用チャネルは、典型的にはレイヤ３メッセージ（ＲＲＣメッセージ）を構成する。
【００９６】
また、受信部２０１は、端末装置１から受信した信号をベースバンドのデジタル信号に変換する。端末装置１に対して異なる複数の送信タイミングのセルを設定している場合、受信部２０１はセル毎（またセルグループ毎、ＴＡグループ毎）に異なるタイミングで信号を受信する。受信部２０１で変換されたデジタル信号は、復調部２０２へ入力されて復調される。復調部２０２で復調された信号は続いて復号部２０３へと入力される。復号部２０３は、入力された信号を復号し、復号された各データ（上りリンクデータと上りリンク制御データ）を受信データ制御部２０４へと入力する。また、各データと共に端末装置１から送信されたＭＡＣ制御要素も復号部２０３で復号され、受信データ制御部２０４へと入力される。
【００９７】
受信データ制御部２０４は、受信したＭＡＣ制御要素に基づく物理レイヤ制御部２０５の制御や、復号された各データをバッファリングし、再送されたデータの誤り訂正制御（ＨＡＲＱ）を行う。受信データ制御部２０４へ入力された各データは、無線リソース制御部２１０へと入力（転送）される。
【００９８】
これら各ブロックの制御に必要な物理レイヤ制御情報は、受信制御情報と送信制御情報によって構成される基地局装置２の無線通信制御に必要なパラメータ設定を含む情報である。物理レイヤ制御情報は、上位のネットワーク装置（ＭＭＥ（ＭＭＥ３００）やゲートウェイ装置（ＳＧＷ４００）、ＯＡＭなど）やシステムパラメータにより設定され、無線リソース制御部２１０が必要に応じて制御部２０４へ入力する。
【００９９】
物理レイヤ制御部２０５は、送信に関連する物理レイヤ制御情報を送信制御情報として符号部２０７、変調部２０８、送信部２０９の各ブロックに入力し、受信に関連する物理レイヤ制御情報を受信制御情報として受信部２０１、復調部２０２、復号部２０３の各ブロックに適切に入力する。
【０１００】
受信データ制御情報は、基地局装置２のＭＡＣ層、ＲＬＣ層、ＰＤＣＰ層のそれぞれに対する端末装置１の上りリンクに関する制御情報が含まれている。また、送信データ制御情報は、基地局装置２のＭＡＣ層、ＲＬＣ層、ＰＤＣＰ層のそれぞれに対する端末装置１の下りリンクに関する制御情報が含まれている。すなわち、受信データ制御情報と送信データ制御情報は、端末装置１毎に設定されている。
【０１０１】
ネットワーク信号送受信部２１１は、基地局装置２間あるいは上位のネットワーク装置（ＭＭＥ３００、ＳＧＷ４００）と基地局装置２との間の制御メッセージ、またはユーザデータの送信（転送）または受信を行なう。図２において、その他の基地局装置２の構成要素や、構成要素間のデータ（制御情報）の伝送経路については省略してあるが、基地局装置２として動作するために必要なその他の機能を有する複数のブロックを構成要素として持つことは明らかである。例えば、無線リソース制御部２１０の上位には、無線リソース管理（Ｒａｄｉｏ  Ｒｅｓｏｕｒｃｅ  Ｍａｎａｇｅｍｅｎｔ）部や、アプリケーションレイヤ部が存在している。
【０１０２】
図３は、本発明の第１の実施形態におけるセカンダリセルの活性化および／または不活性化に用いられるセル状態制御手順に関するシーケンスチャート図の一例を示したものである。
【０１０３】
図３において、基地局装置２（基地局装置２−１、基地局装置２−２）は、それぞれデュアルコネクティビティ技術を用いて端末装置１と接続可能であるとする。また、端末装置１と基地局装置２−１は接続されている状態である。基地局装置２−１は典型的にはマクロセルを管理し、基地局装置２−２は典型的にはスモールセルを管理する基地局装置２であるが、本実施形態の適用範囲はセルの種別によって限定されるものではない。
【０１０４】
まず、基地局装置２−１は、ステップＳ１００において、端末装置１に対してデュアルコネクティビティを用いて追加されるセル（セカンダリセル）を決定する。基地局装置２−１は、（１）端末装置１のバッファステータスレポートによって報告された上りリンクのバッファ状態、（２）セカンダリセルでトリガ条件が満たされた測定イベント報告またはＣＳＩ報告、（３）基地局装置２またはセルの負荷状況、（４）端末装置１の移動速度、などの情報のうち、一つまたはこれらの組み合わせに基づいてセル状態制御の対象となるセルを決定することができる。また、基地局装置２−１は、これ以外の情報を用いて追加の対象となるセルを決定することもできる。
【０１０５】
追加するセルを決定した基地局装置２−１は、追加するセルを管理する基地局装置２−２に対し、セル追加要求メッセージを生成して送信する（ステップＳ１０１）。セル追加要求メッセージは、基地局装置間メッセージ（Ｘ２−ＡＰメッセージ）として送信されてもよいし、ＭＭＥを経由するＭＭＥメッセージ（Ｓ１−ＡＰメッセージ）として送信されてもよい。また、セル追加要求メッセージは、デュアルコネクティビティリクエストメッセージであってもよく、ハンドオーバー要求（Ｈａｎｄｏｖｅｒ  Ｒｅｑｕｅｓｔ）メッセージであってもよい。
【０１０６】
セル追加要求メッセージには、例えば、基地局装置間メッセージ識別子、基地局装置２−１を一意に識別するための基地局装置識別子、追加を要求する基地局装置２−２のセルのセル識別子（物理セルＩＤ、またはセルグローバル識別子）、追加の対象となる端末装置１の端末装置識別子などが含まれる。端末装置識別子は、セル内の端末装置１に個別に割り当てられるＣ−ＲＮＴＩ（セル無線ネットワークテンポラリ識別子；Cell-Radio. Network Temporary Identifier）であってもよい。また、基地局装置２−１は、セル追加要求メッセージに複数の基地局装置２−２のセルのセル識別子（物理セルＩＤ、またはセルグローバル識別子）を含めることもできる。
【０１０７】
セル追加要求メッセージを受信した基地局装置２−２は、基地局装置２−１の要求するセルについて、デュアルコネクティビティを用いて端末装置１へ接続させることが可能であると判断した場合、セル追加要求許可メッセージを基地局装置２−１へ送信する（ステップＳ１０２）。セル追加要求許可メッセージは、基地局装置間メッセージ（Ｘ２−ＡＰメッセージ）として送信されてもよいし、ＭＭＥを経由するＭＭＥメッセージ（Ｓ１−ＡＰメッセージ）として送信されてもよい。また、セル追加要求許可メッセージは、デュアルコネクティビティセットアップメッセージであってもよく、ハンドオーバー要求許可メッセージ（Ｈａｎｄｏｖｅｒ  Ｒｅｑｕｅｓｔ  Ａｃｋｎｏｗｌｅｄｇｅ）であってもよい。
【０１０８】
セル追加要求許可メッセージには、例えば、対応するセル追加要求メッセージの基地局装置間メッセージ識別子、セル追加要求許可メッセージの基地局装置間メッセージ識別子、追加を許可した基地局装置２−２のセルのセル識別子（物理セルＩＤ、またはセルグローバル識別子）、追加を許可した基地局装置２−２のセルのセル設定（セルコンフィグレーション、報知情報）などが含まれる。なお、基地局装置２−２は、要求されたセルと異なるセルをセル追加要求許可メッセージで指定してもよい。
【０１０９】
セル追加要求許可メッセージを受信した基地局装置２−１は、セル追加要求許可メッセージで指定された追加を許可されたセルを追加（設定）するため、無線リソース制御接続再設定メッセージを生成し、端末装置１へと送信する（ステップＳ１０３）。
【０１１０】
端末装置１は、無線リソース制御接続再設定メッセージを受信した場合、ステップＳ１０４でセル追加制御を行い、指示された基地局装置２−２のセルの追加を行う。セルの追加は、キャリア・アグリゲーションによるセカンダリセルの追加手順と同じで良い。すなわち、無線リソース制御接続再設定メッセージには、追加対象となるセル（セカンダリセル）のセルＩＤ、セカンダリセル識別子、セル共通設定およびセル個別設定、セカンダリセル不活性化タイマー情報などが含まれる。ここで、新規に追加されたセカンダリセルはセル不活性化（ディアクティベーション）の状態である。
【０１１１】
セルの追加が完了した端末装置１は、基地局装置２−１に対して無線リソース制御接続再設定完了メッセージを送信する（ステップＳ１０５）。
【０１１２】
ステップＳ１０５のメッセージを受信した基地局装置２−１は、セルの追加が正常に完了したことを知ることができる。そして、基地局装置２−１は、スケジューリングに基づいてセカンダリセルの状態の変更が必要であると判断した場合に、基地局装置２−２に対して追加したセルの活性化および／または不活性化を指示するメッセージ（Ａｃｔｉｖａｔｉｏｎ／Ｄｅａｃｔｉｖａｔｉｏｎ要求メッセージ）を生成して送信する（ステップＳ１０６）。
【０１１３】
Ａｃｔｉｖａｔｉｏｎ／Ｄｅａｃｔｉｖａｔｉｏｎ要求メッセージには、例えば、基地局装置間メッセージ識別子、基地局装置２−１を一意に識別するための基地局装置識別子、活性化／不活性化を要求する基地局装置２−２のセルのセル識別子（物理セルＩＤ、またはセルグローバル識別子）などが含まれる。また、基地局装置２−１は、Ａｃｔｉｖａｔｉｏｎ／Ｄｅａｃｔｉｖａｔｉｏｎ要求メッセージにセルの活性化／不活性化のタイミングを示すタイミング情報を含めることも可能である。タイミング情報とは、基地局装置２−１と基地局装置２−２とで活性化／不活性化のタイミングを同期するために使用可能な時間情報であり、例えばシステムフレーム時間、ＵＴＣ（Coordinated Universal Time）などであるが、これらに限定されない。また、基地局装置２−２は、Ａｃｔｉｖａｔｉｏｎ／Ｄｅａｃｔｉｖａｔｉｏｎ要求メッセージに複数のセルの情報を含めることも可能である。
【０１１４】
Ａｃｔｉｖａｔｉｏｎ／Ｄｅａｃｔｉｖａｔｉｏｎ要求メッセージを受信した基地局装置２−２は、基地局装置２−１の要求するセルについて、活性化（不活性化）することが可能であると判断した場合、Ａｃｔｉｖａｔｉｏｎ／Ｄｅａｃｔｉｖａｔｉｏｎ要求許可メッセージを基地局装置２−１へ送信する（ステップＳ１０７）。Ａｃｔｉｖａｔｉｏｎ／Ｄｅａｃｔｉｖａｔｉｏｎ要求メッセージ、およびＡｃｔｉｖａｔｉｏｎ／Ｄｅａｃｔｉｖａｔｉｏｎ要求許可メッセージは、基地局装置間メッセージ（Ｘ２−ＡＰメッセージ）として送信されてもよいし、ＭＭＥを経由するＭＭＥメッセージ（Ｓ１−ＡＰメッセージ）として送信されてもよい。
【０１１５】
Ａｃｔｉｖａｔｉｏｎ／Ｄｅａｃｔｉｖａｔｉｏｎ要求許可メッセージには、例えば、対応するＡｃｔｉｖａｔｉｏｎ／Ｄｅａｃｔｉｖａｔｉｏｎ要求メッセージの基地局装置間メッセージ識別子、Ａｃｔｉｖａｔｉｏｎ／Ｄｅａｃｔｉｖａｔｉｏｎ要求許可メッセージの基地局装置間メッセージ識別子、活性化／不活性化を許可する基地局装置２−２のセルのセル識別子（物理セルＩＤ、またはセルグローバル識別子）などが含まれる。また、基地局装置２−２は、Ａｃｔｉｖａｔｉｏｎ／Ｄｅａｃｔｉｖａｔｉｏｎ要求許可メッセージに複数のセルの情報を含めることも可能である。
【０１１６】
Ａｃｔｉｖａｔｉｏｎ／Ｄｅａｃｔｉｖａｔｉｏｎ要求許可メッセージを受信した基地局装置２−１は、Ａｃｔｉｖａｔｉｏｎ／Ｄｅａｃｔｉｖａｔｉｏｎ要求許可メッセージで指定されたセルを活性（不活性化）するため、セカンダリセルの活性化／不活性化を示すＭＡＣ制御要素（Activation/Deactivation MAC control element）を生成し、端末装置１へと送信する（ステップＳ１０８）。セカンダリセルの活性化／不活性化を示すＭＡＣ制御要素は、物理下りリンク共用チャネルＰＤＳＣＨを用いて（ＰＤＳＣＨに含まれて）送信される。
【０１１７】
図３に示した制御方法は、基地局装置２−２のセルに対して活性化（不活性化）が行われる際に、基地局装置２−１が基地局装置２−２の変更されたセルの状態を認識し、互いにセルの状態を共有する方法として適している。
【０１１８】
図４は、本発明の第１の実施形態におけるセカンダリセルの活性化および／または不活性化に用いられるセル状態制御手順に関するシーケンスチャート図の別の一例を示したものである。図４の端末装置１、基地局装置２−１、基地局装置２−２は、それぞれ図３で説明したものと同様の構成を取ることができる。
【０１１９】
図４のシーケンスの開始時点において、端末装置１は基地局装置２−２のセルとデュアルコネクティビティを用いて接続を行うため、基地局装置２−２のセルの追加を示す無線リソース制御接続再設定メッセージを受信している。端末装置１は、セルの追加手順が正常に完了した場合、セルの追加の完了を示す無線リソース制御接続再設定完了メッセージを基地局装置２−１へ送信する（ステップＳ２００）。
【０１２０】
基地局装置２−１は、Ａｃｔｉｖａｔｉｏｎ／Ｄｅａｃｔｉｖａｔｉｏｎ要求許可メッセージで指定されたセルを活性（不活性化）するため、セカンダリセルの活性化／不活性化を示すＭＡＣ制御要素（Activation/Deactivation MAC control element）を生成し、端末装置１へと送信する（ステップＳ２０１）。セカンダリセルの活性化／不活性化を示すＭＡＣ制御要素は、物理下りリンク共用チャネルＰＤＳＣＨを用いて（ＰＤＳＣＨに含まれて）送信される。
【０１２１】
端末装置１は、セカンダリセルの活性化／不活性化を示すＭＡＣ制御要素を含むＰＤＳＣＨの受信確認として、基地局装置２−１へ該ＰＤＳＣＨに対応したＡＣＫを送信する。なお、端末装置１は、ＰＤＳＣＨが正しく受信できなかった場合、基地局装置２−１へＮＡＣＫを送信する。端末装置１は、ＡＣＫの送信によってＡｃｔｉｖａｔｉｏｎ／Ｄｅａｃｔｉｖａｔｉｏｎの完了を基地局装置２−１へ通知する（ステップＳ２０２）。
【０１２２】
そして、基地局装置２−１は、端末装置１において活性化／不活性化されたセカンダリセルを基地局装置２−２へ通知するために、Ａｃｔｉｖａｔｉｏｎ／Ｄｅａｃｔｉｖａｔｉｏｎ通知メッセージを基地局装置２−２へ送信する（ステップＳ２０３）。
【０１２３】
Ａｃｔｉｖａｔｉｏｎ／Ｄｅａｃｔｉｖａｔｉｏｎ通知メッセージには、例えば、基地局装置間メッセージ識別子、基地局装置２−１を一意に識別するための基地局装置識別子、活性化／不活性化した基地局装置２−１のセルのセル識別子（物理セルＩＤ、またはセルグローバル識別子）、端末装置識別子などが含まれる。
【０１２４】
Ａｃｔｉｖａｔｉｏｎ／Ｄｅａｃｔｉｖａｔｉｏｎ通知メッセージは基地局装置間メッセージ（Ｘ２−ＡＰメッセージ）として送信されてもよいし、ＭＭＥを経由するＭＭＥメッセージ（Ｓ１−ＡＰメッセージ）として送信されてもよい。
【０１２５】
なお、基地局装置２−１は、端末装置１に対して明示的な活性化／不活性化を示さない場合、具体的にはセカンダリセル不活性化タイマーが満了したことによって状態が変更された基地局装置２−１のセカンダリセルについて、Ａｃｔｉｖａｔｉｏｎ／Ｄｅａｃｔｉｖａｔｉｏｎ通知メッセージを用いてセカンダリセルの状態を通知してもよい。
【０１２６】
図４に示した制御方法は、基地局装置２−１のセルに対して活性化（不活性化）が行われる際に、基地局装置２−２が基地局装置２−１の変更されたセルの状態を認識し、互いにセルの状態を共有する方法として適している。
【０１２７】
図３と図４において、無線リソース制御接続再設定メッセージはＲＲＣ  Ｃｏｎｎｅｃｔｉｏｎ  Ｒｅｃｏｎｆｉｇｕｒａｉｏｎメッセージであってもよく、また、無線リソース制御接続再設定完了メッセージはＲＲＣ  Ｃｏｎｎｅｃｔｉｏｎ  Ｒｅｃｏｎｆｉｇｕｒａｉｏｎ  Ｃｏｍｐｌｅｔｅメッセージであってもよい。
【０１２８】
図５は、本発明の第１の実施形態におけるセカンダリセルの活性化および／または不活性化に用いられるセル状態制御手順に関するシーケンスチャート図の別の一例を示したものである。図５の端末装置１、基地局装置２−１、基地局装置２−２は、それぞれ図３で説明したものと同様の構成を取ることができる。また、図５における各メッセージについて、他の図で説明しているメッセージについてはその詳細を略す。
【０１２９】
図５において、基地局装置２−１と基地局装置２−２は、それぞれデュアルコネクティビティを用いて端末装置１と接続されている。
【０１３０】
まず、基地局装置２−２は、スケジューリングに基づいてセカンダリセルの状態の変更が必要であると判断した場合に、基地局装置２−１に対してセルの活性化および／または不活性化を指示するメッセージ（Ａｃｔｉｖａｔｉｏｎ／Ｄｅａｃｔｉｖａｔｉｏｎ要求メッセージ）を生成して送信する（ステップＳ３００）。
【０１３１】
Ａｃｔｉｖａｔｉｏｎ／Ｄｅａｃｔｉｖａｔｉｏｎ要求メッセージを受信した基地局装置２−１は、基地局装置２−２の要求するセルについて、活性化（不活性化）することが可能であると判断した場合、Ａｃｔｉｖａｔｉｏｎ／Ｄｅａｃｔｉｖａｔｉｏｎ要求許可メッセージを基地局装置２−２へ送信する（ステップＳ３０１）。
【０１３２】
なお、基地局装置２−２によるＡｃｔｉｖａｔｉｏｎ／Ｄｅａｃｔｉｖａｔｉｏｎ要求を常に許可する場合、ステップＳ３０１を省略することも可能である。
【０１３３】
基地局装置２−１は、続いてＡｃｔｉｖａｔｉｏｎ／Ｄｅａｃｔｉｖａｔｉｏｎ要求許可メッセージで指定されたセルを活性（不活性化）するため、セカンダリセルの活性化／不活性化を示すＭＡＣ制御要素（Activation/Deactivation MAC control element）を生成し、端末装置１へと送信する（ステップＳ３０２）。セカンダリセルの活性化／不活性化を示すＭＡＣ制御要素は、物理下りリンク共用チャネルＰＤＳＣＨを用いて（ＰＤＳＣＨに含まれて）送信される。
【０１３４】
端末装置１は、セカンダリセルの活性化／不活性化を示すＭＡＣ制御要素を含むＰＤＳＣＨの受信確認として、基地局装置２−１へ該ＰＤＳＣＨに対応したＡＣＫを送信する。なお、端末装置１は、ＰＤＳＣＨが正しく受信できなかった場合、基地局装置２−１へＮＡＣＫを送信する。端末装置１は、ＡＣＫの送信によってＡｃｔｉｖａｔｉｏｎ／Ｄｅａｃｔｉｖａｔｉｏｎの完了を基地局装置２−１へ通知する（ステップＳ３０３）。
【０１３５】
そして、基地局装置２−１は、端末装置１において活性化／不活性化されたセカンダリセルを基地局装置２−２へ通知するために、Ａｃｔｉｖａｔｉｏｎ／Ｄｅａｃｔｉｖａｔｉｏｎ通知メッセージを基地局装置２−２へ送信する（ステップＳ３０４）。
【０１３６】
なお、基地局装置２−１は、Ａｃｔｉｖａｔｉｏｎ／Ｄｅａｃｔｉｖａｔｉｏｎ要求メッセージに対するＡｃｔｉｖａｔｉｏｎ／Ｄｅａｃｔｉｖａｔｉｏｎ要求許可メッセージを、Ａｃｔｉｖａｔｉｏｎ／Ｄｅａｃｔｉｖａｔｉｏｎ通知メッセージに代えてステップＳ３０４で送信してもよい。
【０１３７】
図５に示した制御方法は、基地局装置２−２のセルに対して活性化（不活性化）が行われる際に、基地局装置２−１が基地局装置２−２の変更されたセルの状態を認識し、互いにセルの状態を共有する方法として適している。特に、基地局装置２−２が自律的にセルの状態を変更可能な場合に適している。
【０１３８】
このように構成することによって、端末装置１と基地局装置２は、基地局装置２−１と基地局装置２−２との間でセカンダリセルの状態（活性化、不活性化）に関する情報をやり取り（交換、共有）することが可能となるため、セカンダリセルの状態不一致に関する問題、特に、未使用のセカンダリセル、すなわち不活性化しているセカンダリセルを活性化してしまうことや、使用中のセカンダリセル、すなわち活性化しているセカンダリセルを不活性化してしまうという問題を回避できる。
【０１３９】
本実施形態の端末装置１は、基地局装置２においてセルの状態を適切に制御することによって、デュアルコネクティビティによる接続中であっても従来の制御方法を用いることができ、複雑な動作が不要となる。また、本実施形態の基地局装置２は、セカンダリセルの活性化／不活性化の状態について基地局装置間メッセージを用いてやり取りすることによって、端末装置１と複数のセルとをデュアルコネクティビティを用いて接続する際に、異なる基地局装置２のセルの状態を他方の基地局装置２へ通知することが可能となる。すなわち、基地局装置２は、基地局装置２間のバックボーン回線に遅延が発生するようなネットワークにおいても、端末装置１に対して効率的にセルの状態を制御させることが可能となる。
【０１４０】
第１の実施形態によれば、端末装置１は、セカンダリセルの活性化および／または不活性化を指示するコマンドに従って、セルの活性化および不活性化の状態を従来の制御方法を用いて適切に制御する手段を持つことできるため、効率的にセルの状態を制御できる。また、基地局装置２は、セカンダリセルの活性化／不活性化の状態について基地局装置間メッセージを用いてやり取りすることによって、基地局装置２間において状態不一致をなくしつつセルの状態を適切に制御する手段を提供することができるため、端末装置１に対して効率的なスケジューリングを行うことによってスループットの低下を避けることができる。
【０１４１】
＜第２の実施形態＞
本発明の第２の実施形態について以下に説明する。
【０１４２】
第１の実施形態において、基地局装置２間でセカンダリセルの活性化および／または不活性化に関する制御メッセージをやり取りする必要があるのは、基地局装置２−２のセルが不活性化されるからである。すなわち、基地局装置２−２のセカンダリセルが不活性化の状態にならず、常に活性化されているとみなすことが保証されていれば、基地局装置２−１は、基地局装置２−２のセカンダリセルの状態に関する情報が不要となる。そこで、第２の実施形態は、基地局装置２において、セカンダリセルを常に活性化することが可能なセカンダリセルの状態の制御方法について示す。
【０１４３】
第２の実施形態の端末装置１と基地局装置２の構成は第１の実施形態と同じ構成でよいため説明を省略する。ただし、第２の実施形態の端末装置１と基地局装置２は、一部のセルについて、常に活性化されている状態とみなすための機能を備えている（後述）。
【０１４４】
第２の実施形態における制御方法として、以下の制御方法のいずれかを用いることができる。（１）例えば、基地局装置２は、セカンダリセル不活性化タイマーによってセカンダリセルが不活性化されることを防ぐために、セカンダリセル不活性化タイマーが満了する前に基地局装置２−２に関するセカンダリセルに対してスケジューリングを行うことによって、セカンダリセル不活性化タイマーを再スタートさせる。
【０１４５】
スケジューリングを行うとは、端末装置１に設定されているセルのいずれかに対して無線リソースを割り当てるためのＰＤＣＣＨを基地局装置２−２のセルで送信することである。また、スケジューリングを行うとは、端末装置１に設定されている基地局装置２−２のセルに対して無線リソースを割り当てるためのＰＤＣＣＨを端末装置１に設定されているセルのいずれかで送信することである。
【０１４６】
このように、基地局装置２−２のセルが不活性化する前にスケジューリングを行うことによってセカンダリセル不活性化タイマーが再スタートされるため、端末装置１と基地局装置２は、基地局装置２−２のセルが常に活性化されているとみなすことができる。
【０１４７】
（２）また、例えば、基地局装置２は、セカンダリセル不活性化タイマーによってセカンダリセルが不活性化されることを防ぐために、基地局装置２−２に関するセカンダリセルに対してセカンダリセル不活性化タイマーを設定しない。
【０１４８】
具体的には、基地局装置２は、セカンダリセル不活性化タイマーを適用しないセカンダリセル（または複数のセルを含むセルグループ）を示す情報（設定）を端末装置１に対して通知する。例えば、基地局装置２は、該当するセカンダリセルのセルＩＤ、サービングセルインデックス、またはセカンダリセルインデックスを通知してもよい。また、例えば、基地局装置２は、セカンダリセル不活性化タイマーを適用しないことを示す情報をセカンダリセル毎の設定に含めて通知してもよい。セカンダリセル不活性化タイマーを適用しないセカンダリセルの設定を通知するために、ＲＲＣメッセージ（例えば無線リソース制御接続再設定メッセージ）を用いてもよいし、ＭＡＣ制御要素を用いてもよい。
【０１４９】
端末装置１は、セカンダリセル不活性化タイマーを適用しないセカンダリセル以外については、従来と同じくセカンダリセル毎にセカンダリセル不活性化タイマーを設定（適用）する。一方、端末装置１は、セカンダリセル不活性化タイマーを適用しないセカンダリセルについては、セカンダリセル不活性化タイマーを設定（適用）しない。すなわち、端末装置１は、指定されたセカンダリセルにおいて、セカンダリセル不活性化タイマーの開始、停止、および、再スタートを行わない。
【０１５０】
このように、基地局装置２−２のセルに対してセカンダリセル不活性化タイマーが設定されないため、端末装置１と基地局装置２は、基地局装置２−２のセルが常に活性化されているとみなすことができる。
【０１５１】
（３）また、例えば、基地局装置２は、セカンダリセル不活性化タイマーによってセカンダリセルが不活性化されることを防ぐために、基地局装置２−２に関するセカンダリセルに対してセカンダリセル不活性化タイマーを無限大（infinity）に設定する。
【０１５２】
具体的には、基地局装置２は、不活性化を行わないセカンダリセル（または複数のセルを含むセルグループ）について、セカンダリセル不活性化タイマーの値が無限大であることを示す情報（設定）を端末装置１に対して通知する。例えば、基地局装置２は、該当するセカンダリセルのセルＩＤ、サービングセルインデックス、またはセカンダリセルインデックスを通知してもよい。また、例えば、基地局装置２は、セカンダリセル不活性化タイマーを適用しないことを示す情報をセカンダリセル毎の設定に含めて通知してもよい。
【０１５３】
セカンダリセル不活性化タイマーが接続される基地局装置２毎に設定される場合、セカンダリセル不活性化タイマーの値が無限大であることを示す情報と、対応する基地局装置２の識別子（コネクティビティ識別子でもよい）とを通知してもよい。基地局装置２は、セカンダリセル不活性化タイマーを無限大とするセカンダリセルの設定を通知するために、ＲＲＣメッセージ（例えば無線リソース制御接続再設定メッセージ）を用いてもよいし、ＭＡＣ制御要素を用いてもよい。
【０１５４】
端末装置１は、セカンダリセル不活性化タイマーとして設定された値をそれぞれのセカンダリセルに対して設定（適用）する。すなわち、端末装置１は、セカンダリセル不活性化タイマーの開始、停止、および、再スタートを従来と同じように制御するが、値として無限大が指定されたセカンダリセルのタイマーが満了しないため、不活性化されなくなる。
【０１５５】
このように、基地局装置２−２のセルのセカンダリセル不活性化タイマーが無限大に設定されるため、端末装置１と基地局装置２は、基地局装置２−２のセルが常に活性化されているとみなすことができる。
【０１５６】
（４）また、例えば、端末装置１は、セカンダリセル不活性化タイマーによってセカンダリセルが不活性化されることを防ぐために、基地局装置２−２に関するセカンダリセルに対してセカンダリセル不活性化タイマーを無限大（infinity）であるとみなす。
【０１５７】
具体的には、基地局装置２は、不活性化を行わないセカンダリセル（または複数のセルを含むセルグループ）について、セカンダリセル不活性化タイマーの値を無限大とみなして制御を行うことを示す情報（設定）を端末装置１に対して通知する。例えば、基地局装置２は、該当するセカンダリセルのセルＩＤ、サービングセルインデックス、またはセカンダリセルインデックスを通知してもよい。また、例えば、基地局装置２は、セカンダリセル不活性化タイマーを無限大とみなして制御することを示す情報をセカンダリセル毎の設定に含めて通知してもよい。
【０１５８】
セカンダリセル不活性化タイマーが接続される基地局装置２毎に設定される場合、セカンダリセル不活性化タイマーの値を無限大とみなすことを示す情報と、対応する基地局装置２の識別子（コネクティビティ識別子でもよい）とを通知してもよい。基地局装置２は、セカンダリセル不活性化タイマーを無限大とみなすセカンダリセルの設定を通知するために、ＲＲＣメッセージ（例えば無線リソース制御接続再設定メッセージ）を用いてもよいし、ＭＡＣ制御要素を用いてもよい。
【０１５９】
端末装置１は、セカンダリセル不活性化タイマーを無限大とみなさないセカンダリセル以外については、従来と同じくセカンダリセル毎にセカンダリセル不活性化タイマーを設定（適用）する。一方、端末装置１は、セカンダリセル不活性化タイマーを無限大とみなすセカンダリセルについては、セカンダリセル不活性化タイマーを無限大とみなして設定（適用）する。すなわち、端末装置１は、セカンダリセル不活性化タイマーの開始、停止、および、再スタートを従来と同じように制御するが、値として無限大とみなすと指定されたセカンダリセルのタイマーが満了しないため、不活性化されなくなる。
【０１６０】
このように、基地局装置２−２のセルのセカンダリセル不活性化タイマーが無限大であるとみなすことによって、端末装置１と基地局装置２は、基地局装置２−２のセルが常に活性化されているとみなすことができる。
【０１６１】
（５）また、例えば、端末装置１は、セカンダリセル不活性化タイマーによってセカンダリセルが不活性化されることを防ぐために、基地局装置２−２に関するセカンダリセルに対してセカンダリセル不活性化タイマーの計時を行わない。
【０１６２】
具体的には、基地局装置２は、セカンダリセル不活性化タイマーを計時しないセカンダリセル（または複数のセルを含むセルグループ）を示す情報（設定）を端末装置１に対して通知する。例えば、基地局装置２は、該当するセカンダリセルのセルＩＤ、サービングセルインデックス、またはセカンダリセルインデックスを通知してもよい。また、例えば、基地局装置２は、セカンダリセル不活性化タイマーを計時しないことを示す情報をセカンダリセル毎の設定に含めて通知してもよい。セカンダリセル不活性化タイマーを計時しないセカンダリセルの設定を通知するために、ＲＲＣメッセージ（例えば無線リソース制御接続再設定メッセージ）を用いてもよいし、ＭＡＣ制御要素を用いてもよい。
【０１６３】
端末装置１は、セカンダリセル不活性化タイマーを計時しないセカンダリセル以外については、従来と同じくセカンダリセル毎にセカンダリセル不活性化タイマーを設定（適用）する。一方、端末装置１は、セカンダリセル不活性化タイマーを計時しないセカンダリセルについては、セカンダリセル不活性化タイマーを設定（適用）するが、計時に関する制御を行わない。すなわち、端末装置１は、指定されたセカンダリセルにおいて、セカンダリセル不活性化タイマーの開始、停止、および、再スタートを行わない。
【０１６４】
このように、基地局装置２−２のセルのセカンダリセル不活性化タイマーを計時に関する制御を行わないことによって、端末装置１と基地局装置２は、基地局装置２−２のセルが常に活性化されているとみなすことができる。
【０１６５】
このように構成することによって、端末装置１と基地局装置２は、基地局装置２−１と基地局装置２−２との間でセカンダリセルの状態（活性化、不活性化）に関する情報をやり取りせずにセカンダリセルの状態を知ることが可能となるため、セカンダリセルの状態不一致に関する問題、特に、未使用のセカンダリセル、すなわち不活性化しているセカンダリセルを活性化してしまうことや、使用中のセカンダリセル、すなわち活性化しているセカンダリセルを不活性化してしまうという問題を回避できる。
【０１６６】
本実施形態の端末装置１は、基地局装置２においてセルの状態を適切に制御することによって、または、基地局装置２が指定したセルの状態を不活性化しないための適切な制御を行うことによって、デュアルコネクティビティによる接続中であってもセカンダリセルの状態不一致の発生を回避できる。また、本実施形態の基地局装置２は、端末装置１に対して一部のセルの状態について、不活性化されないための適切な設定を通知することができる。また、本実施形態の基地局装置２は、セカンダリセルの活性化／不活性化の状態について基地局装置間メッセージを用いてやり取りしなくても良くなるため、シグナリング量が削減される。すなわち、基地局装置２は、基地局装置２間のバックボーン回線に遅延が発生するようなネットワークにおいても、端末装置１に対して効率的にセルの状態を制御させることが可能となる。
【０１６７】
第２の実施形態によれば、端末装置１は、接続に用いる一部のセルについて不活性化されないように制御する手段を持つことができるため、セルの状態の管理が容易となり、効率的にセルの状態を制御できる。また、基地局装置２は、端末装置１に対して設定したセルの状態に関し、基地局装置２間において状態不一致をなくしつつセルの状態を適切に制御する手段を提供することができるため、端末装置１に対して効率的なスケジューリングを行うことによってスループットの低下を避けることができる。
【０１６８】
＜第３の実施形態＞
本発明の第３の実施形態について以下に説明する。
【０１６９】
上述したように、基地局装置２間のバックボーン回線には遅延がある。そのため、基地局装置２−１と基地局装置２−２とでセカンダリセルの状態に関する基地局装置間メッセージをやり取りするよりも、端末装置１からセカンダリセルの状態に関する情報を通知する方が高速である可能性がある。そこで、第３の実施形態は、端末装置１からセカンダリセルの状態に関する情報を通知する方法について示す。
【０１７０】
第３の実施形態の端末装置１と基地局装置２の構成は第１の実施形態と同じ構成でよいため説明を省略する。ただし、第３の実施形態において、端末装置１は、セカンダリセルの状態に関する情報を基地局装置２へ送信（通知）する機能を備え、基地局装置２は、セカンダリセルの状態に関する情報を端末装置１から受信する機能を備えている（後述）。
【０１７１】
図６は、本発明の第３の実施形態におけるセカンダリセルの活性化および／または不活性化に用いられるセル状態制御手順に関するシーケンスチャート図の一例を示したものである。図６の端末装置１、基地局装置２−１、基地局装置２−２は、それぞれ図３で説明したものと同じ構成でよいまた、図６における各メッセージについて、他の図で説明しているメッセージについてはその詳細を略す。
【０１７２】
図６において、基地局装置２−１と基地局装置２−２は、それぞれデュアルコネクティビティを用いて端末装置１と接続されている。
【０１７３】
まず、基地局装置２−１は、スケジューリングに基づいてセカンダリセルの状態の変更が必要であると判断した場合に、セカンダリセルの活性化／不活性化を示すＭＡＣ制御要素（Activation/Deactivation MAC control element）を生成し、端末装置１へと送信する（ステップＳ４００）。セカンダリセルの活性化／不活性化を示すＭＡＣ制御要素は、物理下りリンク共用チャネルＰＤＳＣＨを用いて（ＰＤＳＣＨに含まれて）送信される。
【０１７４】
端末装置１は、セカンダリセルの活性化／不活性化を示すＭＡＣ制御要素を含むＰＤＳＣＨの受信確認として、基地局装置２−１へ該ＰＤＳＣＨに対応したＡＣＫを送信する。なお、端末装置１は、ＰＤＳＣＨが正しく受信できなかった場合、基地局装置２−１へＮＡＣＫを送信する。端末装置１は、ＡＣＫの送信によってＡｃｔｉｖａｔｉｏｎ／Ｄｅａｃｔｉｖａｔｉｏｎの完了を基地局装置２−１へ通知する（ステップＳ４０１）。
【０１７５】
続いて、端末装置１は、活性化および／または不活性化を行ったセルが属する基地局装置２以外の基地局装置２に対して、セカンダリセル状態通知（ＳＣｅｌｌ  ｓｔａｔｕｓ）を送信する（ステップＳ４０２）。図６の例では、端末装置１は基地局装置２−１のセルを対象として活性化および／または不活性化を行ったため、セカンダリセル状態通知を他方の基地局装置２−２へ送信する。
【０１７６】
なお、セカンダリセル状態通知は、ＲＲＣメッセージを用いて送信されてもよく、ＭＡＣ制御要素を用いて送信されてもよい。ＲＲＣメッセージを用いる場合、端末装置１は、測定報告メッセージを再利用してもよい。すなわち、端末装置１は、セカンダリセルの状態に関する制御（活性化、不活性化）を行った場合に、測定報告メッセージのトリガ条件が満たされたとして、現在のセカンダリセルの状態を示す情報を含む測定報告メッセージを送信する。
【０１７７】
ＭＡＣ制御要素を用いる場合、端末装置１は、図８に示したＭＡＣ制御要素と同様の制御情報を物理上りリンク共用チャネルＰＵＳＣＨを用いて（ＰＵＳＣＨに含まれて）送信してもよい。すなわち、端末装置１は、セカンダリセルの状態に関する制御（活性化、不活性化）を行った場合に、現在のセカンダリセルの状態を示す情報を含むＭＡＣ制御要素を送信する。
【０１７８】
あるいは、ＭＡＣ制御要素を用いる場合、端末装置１は、送信電力のヘッドルームを示すＰＨ報告（Ｐｏｗｅｒ  Ｈｅａｄｒｏｏｍ  Ｒｅｐｏｒｔｉｎｇ）のＭＡＣ制御要素を再利用してもよい。すなわち、端末装置１は、セカンダリセルの状態に関する制御（活性化、不活性化）を行った場合に、ＰＨ報告のトリガ条件が満たされたと判断し、ＰＨ報告ＭＡＣ制御要素を生成する。ＰＨ報告ＭＡＣ制御要素は、物理上りリンク共用チャネルＰＵＳＣＨを用いて（ＰＵＳＣＨに含まれて）送信される。
【０１７９】
なお、端末装置１が、本実施形態に係る制御を行うか否かを判断するために、基地局装置２から、セカンダリセル状態通知の送信の有無を示す設定（情報）を端末装置１に対して通知してもよい。
【０１８０】
図７は、本発明の第３の実施形態におけるセカンダリセルの活性化および／または不活性化に用いられるセル状態制御手順に関するシーケンスチャート図の別の一例を示したものである。図７は、セカンダリセルの活性化／不活性化を示すＭＡＣ制御要素が基地局装置２−２から送信されていること（ステップＳ４１０およびステップＳ４１１）や、セカンダリセル状態通知を基地局装置２−１へ送信していること（ステップＳ４１２）などが図６と異なる。ただし、セカンダリセルの制御方法、セカンダリセル状態通知のトリガ条件、端末装置１から通知される情報の内容などは図６で説明したものと同じであるため、詳細を略す。
【０１８１】
なお、端末装置１は、異なる基地局装置２からセカンダリセルの活性化／不活性化を示すＭＡＣ制御要素を受信した場合、最新のセカンダリセルの活性化／不活性化を示すＭＡＣ制御要素に従ってセカンダリセルの状態を制御してもよい。また、端末装置１は、異なる基地局装置２からセカンダリセルの活性化／不活性化を示すＭＡＣ制御要素を受信した場合、最初以外のセカンダリセルの活性化／不活性化を示すＭＡＣ制御要素を無視してセカンダリセルの状態を制御してもよい。
【０１８２】
このように構成することによって、端末装置１と基地局装置２は、セカンダリセルの状態（活性化、不活性化）に関する情報を、端末装置１を経由して基地局装置２−１と基地局装置２−２とに通知することが可能となるため、セカンダリセルの状態不一致に関する問題、特に、未使用のセカンダリセル、すなわち不活性化しているセカンダリセルを活性化してしまうことや、使用中のセカンダリセル、すなわち活性化しているセカンダリセルを不活性化してしまうという問題を回避できる。
【０１８３】
本実施形態の端末装置１は、基地局装置２に対してセルの状態を適切なタイミングで通知することによって、デュアルコネクティビティによる接続中であってもセカンダリセルの状態不一致の発生を回避できる。また、本実施形態の基地局装置２は、セカンダリセルの活性化／不活性化の状態について基地局装置間メッセージを用いてやり取りしなくても良くなるため、シグナリング量が削減される。すなわち、基地局装置２は、基地局装置２間のバックボーン回線に遅延が発生するようなネットワークにおいても、端末装置１に対して効率的にセルの状態を制御させることが可能となる。
【０１８４】
第３の実施形態によれば、端末装置１は、セカンダリセルの状態に関する情報を基地局装置２に対して適切に提供することができるため、制御方法が効率的になる。また、基地局装置２は、端末装置１に対して設定したセルの状態に関し、基地局装置２間において状態不一致をなくしつつセルの状態を適切に制御する手段を提供することができるため、端末装置１に対して効率的なスケジューリングを行うことによってスループットの低下を避けることができる。
【０１８５】
なお、以上説明した実施形態は単なる例示に過ぎず、様々な変形例、置換例を用いて実現することができる。例えば、上りリンク送信方式は、ＦＤＤ（周波数分割復信）方式とＴＤＤ（時分割復信）方式のどちらの通信システムに対しても適用可能である。また、実施形態で示される各パラメータの名称は、説明の便宜上呼称しているものであって、実際に適用されるパラメータ名称と本発明の実施形態のパラメータ名称とが異なっていても、本発明の実施形態において主張する発明の趣旨に影響するものではない。
【０１８６】
また、各実施形態で用いた「接続」とは、ある装置と別のある装置とを、物理的な回線を用いて直接接続される構成にだけ限定されるわけではなく、論理的に接続される構成や、無線技術を用いて無線接続される構成を含む。
【０１８７】
また、端末装置１とは、可搬型あるいは可動型の移動局装置のみならず、屋内外に設置される据え置き型、または非可動型の電子機器、たとえば、ＡＶ機器、キッチン機器、掃除・洗濯機器、空調機器、オフィス機器、自動販売機、その他生活機器や測定機器、車載装置、さらに身に着けることが可能なウェアラブル機器やヘルスケア機器などの通信機能を搭載したもの全てを含む。また、端末装置１は、人対人または人対機器の通信だけではなく、機器対機器の通信（Ｍａｃｈｉｎｅ  Ｔｙｐｅ  Ｃｏｍｍｕｎｉｃａｔｉｏｎ、マシンタイプ通信）や、デバイス対デバイスの通信（Ｄｅｖｉｃｅ  ｔｏ  Ｄｅｖｉｃｅ  Ｃｏｍｍｕｎｉｃａｔｉｏｎ；Ｄ２Ｄ）にも用いられる。
【０１８８】
端末装置１は、ユーザ端末、移動局装置、通信端末、移動機、端末、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置２は、無線基地局装置、基地局、無線基地局、固定局、ＮＢ（ＮｏｄｅＢ）、ｅＮＢ（ｅｖｏｌｖｅｄ  ＮｏｄｅＢ）、ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）とも称される。
【０１８９】
なお、基地局装置２は、３ＧＰＰが規定するＵＭＴＳにおいてＮＢと称され、ＥＵＴＲＡおよびＡｄｖａｎｃｅｄ  ＥＵＴＲＡにおいてｅＮＢと称される。なお、３ＧＰＰが規定するＵＭＴＳ、ＥＵＴＲＡおよびＡｄｖａｎｃｅｄ  ＥＵＴＲＡにおける端末装置１はＵＥと称される。
【０１９０】
また、説明の便宜上、実施形態の端末装置１および基地局装置２を機能的なブロック図を用いて、端末装置１および基地局装置２の各部の機能またはこれらの機能の一部を実現するための方法、手段、またはアルゴリズムのステップについて説明したが、これらは、ハードウェア、プロセッサによって実行されるソフトウェアモジュール、またはこれら２つを組み合わせたものによって、直接的に具体化され得る。
【０１９１】
もしソフトウェアによって実装されるのであれば、その機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。
【０１９２】
そして、一つ以上の命令またはコードをコンピュータ読み取り可能な記録媒体に記録し、この記録媒体に記録された一つ以上の命令またはコードをコンピュータシステムに読み込ませ、実行することにより端末装置１や基地局装置２の制御を行なっても良い。なお、ここでいう「コンピュータシステム」とは、ＯＳや周辺機器等のハードウェアを含むものとする。
【０１９３】
本発明の各実施形態に記載の動作をプログラムで実現してもよい。本発明の各実施形態に関わる端末装置１および基地局装置２で動作するプログラムは、本発明の各実施形態に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。
【０１９４】
また、プログラムを実行することにより、上述した実施形態の機能が実現されるだけでなく、そのプログラムの指示に基づき、オペレーティングシステムあるいは他のアプリケーションプログラム等と共同して処理することにより、本発明の各実施形態の機能が実現される場合もある。
【０１９５】
また、「コンピュータ読み取り可能な記録媒体」とは、半導体媒体（例えば、ＲＡＭ、不揮発性メモリカード等）、光記録媒体（例えば、DVD、MO、MD、CD、BD等）、磁気記録媒体（例えば、磁気テープ、フレキシブルディスク等）等の可搬媒体、コンピュータシステムに内蔵されるディスクユニット等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【０１９６】
また、上記プログラムは、前述した機能の一部を実現するためのものであっても良く、さらに、前述した機能をコンピュータシステムに既に記録されているプログラムとの組み合わせで実現できるものであっても良い。
【０１９７】
また、上記各実施形態に用いた端末装置１および基地局装置２の各機能ブロック、または諸特徴は、本明細書で述べられた機能を実行するように設計された汎用用途プロセッサ、デジタルシグナルプロセッサ（ＤＳＰ）、特定用途向けあるいは一般用途向けの集積回路（ＡＳＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、またはこれらを組み合わせたものによって、実装または実行され得る。
【０１９８】
汎用用途プロセッサは、マイクロプロセッサであっても良いが、代わりにプロセッサは従来型のプロセッサ、コントローラ、マイクロコントローラ、またはステートマシンであっても良い。汎用用途プロセッサ、または上述した各回路は、デジタル回路で構成されていてもよいし、アナログ回路で構成されていてもよい。
【０１９９】
プロセッサはまた、コンピューティングデバイスを組み合わせたものとして実装されても良い。例えば、ＤＳＰとマイクロプロセッサ、複数のマイクロプロセッサ、ＤＳＰコアと接続された一つ以上のマイクロプロセッサ、またはその他のそのような構成を組み合わせたものである。
【０２００】
以上、この発明の実施形態について具体例に基づいて詳述してきたが、本発明の各実施形態の趣旨ならびに特許請求の範囲は、これらの具体例に限定されないことは明らかであり、この発明の要旨を逸脱しない範囲の設計変更等も含まれる。すなわち、本明細書の記載は例示説明を目的としたものであり、本発明の各実施形態に対して何ら制限を加えるものではない。
【０２０１】
また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も本発明の技術的範囲に含まれる。
【産業上の利用可能性】
【０２０２】
本発明は、携帯電話、パーソナル・コンピュータ、タブレット型コンピュータなどに適用できる。
【符号の説明】
【０２０３】
１    端末装置
２、２−１、２−２    基地局装置
１０１、２０１    受信部
１０２、２０２    復調部
１０３、２０３    復号部
１０４、２０４    受信データ制御部
１０５、２０５    物理レイヤ制御部
１０６、２０６    送信データ制御部
１０７、２０７    符号部
１０８、２０８    変調部
１０９、２０９    送信部
１１０、２１０    無線リソース制御部
２１１    ネットワーク信号送受信部
３００    ＭＭＥ
４００    ＳＧＷ
【図１】
2015008616.tif 000003
【図２】
2015008616.tif 000004
【図３】
2015008616.tif 000005
【図４】
2015008616.tif 000006
【図５】
2015008616.tif 000007
【図６】
2015008616.tif 000008
【図７】
2015008616.tif 000009
【図８】
2015008616.tif 000010
【図９】
2015008616.tif 000011
【図１０】
2015008616.tif 000012
【手続補正書】
【提出日】平成28年1月15日(2016.1.15)
【手続補正１】
【補正対象書類名】特許請求の範囲
【補正対象項目名】全文
【補正方法】変更
【補正の内容】
【特許請求の範囲】
【請求項１】
第１の基地局装置及び第２の基地局装置と接続する端末装置であって、
前記第１の基地局装置から送信されるＲＲＣメッセージに基づいてデュアルコネクティビティに関する複数のセルを追加する追加部と、
制御部と、を備え、
前記複数のセルは、前記ＲＲＣメッセージに含まれるセル識別子によって指定される不活性化されない第１のセルと、不活性化される前記第１のセル以外の複数のセカンダリセルから構成され、
前記制御部は、
前記第１のセルに対しては、満了時にセルを不活性化するディアクティベーションタイマーを適用せず、
前記複数のセカンダリセルに対しては、前記ディアクティベーションタイマーを前記セカンダリセル毎に適用する端末装置。
【請求項２】
前記制御部は、
前記ディアクティベーションタイマーが満了した前記複数のセカンダリセルのそれぞれを不活性化する
請求項１に記載の端末装置。
【請求項３】
前記ＲＲＣメッセージを前記第１の基地局装置から受信し、
前記ＲＲＣメッセージに基づいて、前記デュアルコネクティビティに関するセルとして前記第２の基地局装置の複数のセルを追加する請求項１に記載の端末装置。
【請求項４】
端末装置と接続する基地局装置であって、
ＲＲＣメッセージにより前記端末装置に対してデュアルコネクティビティに関する複数のセルの追加を通知する通知部と、
制御部と、を備え、
前記複数のセルは、前記ＲＲＣメッセージに含まれるセル識別子によって指定される不活性化されない第１のセルと、不活性化される前記第１のセル以外の複数のセカンダリセルから構成され、
前記制御部は、
前記第１のセルに対しては、満了時にセルを不活性化するディアクティベーションタイマーを適用させず、
前記複数のセカンダリセルに対しては、前記ディアクティベーションタイマーを前記セカンダリセル毎に適用させる基地局装置。
【請求項５】
第１の基地局装置及び第２の基地局装置と接続する端末装置に用いられる通信方法であって、
前記第１の基地局装置から送信されるＲＲＣメッセージに基づいてデュアルコネクティビティに関する複数のセルを追加する第１の過程と、
第２の過程と、
を有し、
前記複数のセルは、前記ＲＲＣメッセージに含まれるセル識別子によって指定される不活性化されない第１のセルと、不活性化される前記第１のセル以外の複数のセカンダリセルから構成され、
前記第２の過程は、
前記第１のセルに対しては、満了時にセルを不活性化するディアクティベーションタイマーを適用せず、
前記複数のセカンダリセルに対しては、前記ディアクティベーションタイマーを前記セカンダリセル毎に適用する通信方法。
【請求項６】
端末装置と接続する基地局装置の制御方法であって、
ＲＲＣメッセージにより前記端末装置に対してデュアルコネクティビティに関する複数のセルの追加を通知する第１過程と、
第２過程と、を有し、
前記複数のセルは、前記ＲＲＣメッセージに含まれるセル識別子によって指定される不活性化されない第１のセルと、不活性化される前記第１のセル以外の複数のセカンダリセルから構成され、
前記第２過程は、
前記第１のセルに対しては、満了時にセルを不活性化するディアクティベーションタイマーを適用させず、
前記複数のセカンダリセルに対しては、前記ディアクティベーションタイマーを前記セカンダリセル毎に適用させる制御方法。
【請求項７】
第１の基地局装置及び第２の基地局装置と接続する端末装置に搭載される集積回路であって、
前記第１の基地局装置から送信されるＲＲＣメッセージに基づいてデュアルコネクティビティに関する複数のセルを追加する第１の機能と、
第２の機能と、
を少なくとも含む一連の機能を前記端末装置に発揮させる集積回路であって、
前記複数のセルは、前記ＲＲＣメッセージに含まれるセル識別子によって指定される不活性化されない第１のセルと、不活性化される前記第１のセル以外の複数のセカンダリセルから構成され、
前記第２の機能は、
前記第１のセルに対しては、満了時にセルを不活性化するディアクティベーションタイマーを適用せず、
前記複数のセカンダリセルに対しては、前記ディアクティベーションタイマーを前記セカンダリセル毎に適用する集積回路。
【請求項８】
端末装置と接続する基地局装置に搭載される集積回路であって、
ＲＲＣメッセージにより前記端末装置に対してデュアルコネクティビティに関する複数のセルの追加を通知する第１の機能と、
第２の機能と、
を少なくとも含む一連の機能を前記基地局装置に発揮させる集積回路であって、
前記複数のセルは、前記ＲＲＣメッセージに含まれるセル識別子によって指定される不活性化されない第１のセルと、不活性化される前記第１のセル以外の複数のセカンダリセルから構成され、
前記第２の機能は、
前記第１のセルに対しては、満了時にセルを不活性化するディアクティベーションタイマーを適用させず、
前記複数のセカンダリセルに対しては、前記ディアクティベーションタイマーを前記セカンダリセル毎に適用させる集積回路。
【国際調査報告】
2015008616.tif 000013
2015008616.tif 000014